(57)【特許請求の範囲】
【請求項１】
無線回線を介して所定のネットワークに接続するためのネットワーク接続権を共有する複数の無線通信装置により構成されるグループに追加登録するための操作入力として前記グループを特定するためのグループ情報と前記追加登録に対する承認操作を行う際における承認方法を特定するための承認方法情報とを受け付ける受付部と、
前記グループ情報が受け付けられた場合に、前記グループに追加登録することを要求する追加要求に前記承認方法情報を含めて前記グループを管理する管理システムに無線回線を介して送信する制御部とを具備し、
前記管理システムは、前記追加要求を受信した場合には、前記グループを構成する何れかの無線通信装置において前記追加要求に含まれる前記承認方法情報に係る承認方法により前記承認操作が行われたことを条件に前記追加要求を送信した無線通信装置を前記グループに追加登録する
無線通信装置。
【請求項２】
無線回線を介して通信事業者が運営する基地局に接続するための契約認証情報に基づいて前記基地局に接続するためのネットワーク接続権を共有する複数の無線通信装置により構成されるグループに追加登録するための操作入力として前記グループを特定するためのグループ情報を受け付ける受付部と、
有効な前記契約認証情報を保持していないときに前記グループ情報が受け付けられた場合には、前記グループを構成する何れかの無線通信装置において承認操作が行われたことを条件に前記グループに追加登録することを要求する追加要求を、前記グループを管理する管理システムに、無線回線を介した装置固有の識別子に基づく限定接続により送信する制御部と
を具備する無線通信装置。
【請求項３】
前記管理システムは、前記追加要求を受信した場合には前記承認操作が行われたことを条件に前記追加要求を送信した無線通信装置を前記グループに追加登録する請求項２記載の無線通信装置。
【請求項４】
前記受付部は、前記承認操作を行う無線通信装置を特定するための無線通信装置情報を受け付け、
前記制御部は、前記無線通信装置情報を前記追加要求に含めて送信し、
前記管理システムは、前記追加要求を受信した場合には前記追加要求に含まれる前記無線通信装置情報に係る無線通信装置において前記承認操作が行われたことを条件に前記追加要求を送信した無線通信装置を前記グループに追加登録する
請求項１乃至３の何れかに記載の無線通信装置。
【請求項５】
前記受付部は、前記承認操作を行う際における承認方法を特定するための承認方法情報を受け付け、
前記制御部は、前記承認方法情報を前記追加要求に含めて送信し、
前記管理システムは、前記追加要求を受信した場合には前記追加要求に含まれる前記承認方法情報に係る承認方法により前記承認操作が行われたことを条件に前記追加要求を送信した無線通信装置を前記グループに追加登録する
請求項２記載の無線通信装置。
【請求項６】
前記受付部は、前記追加要求に対する承認を選択操作により行う承認方法と、前記追加要求に対する承認を識別情報の入力操作により行う承認方法と、前記追加要求に対する承認を操作部材の操作により行う承認方法との何れかを特定する前記承認方法情報を受け付ける請求項１または５記載の無線通信装置。
【請求項７】
前記管理システムは、前記承認操作が行われる無線通信装置が前記ネットワーク接続権を保持する場合には前記承認操作を行うことを要求する追加承認要求を前記ネットワーク接続権に基づく接続により当該無線通信装置に送信する請求項１乃至６の何れかに記載の無線通信装置。
【請求項８】
前記制御部は、前記追加要求に応じて前記グループに追加登録された旨の通知を前記管理システムから受信した場合に前記グループに追加登録された旨を表示部に表示させる請求項１乃至７の何れかに記載の無線通信装置。
【請求項９】
前記受付部は、前記グループを構成する何れかの無線通信装置を前記グループから削除するための操作入力を受け付け、
前記制御部は、前記削除するための操作入力が受け付けられた場合に当該削除対象となる無線通信装置を前記グループから削除するための削除要求を前記管理システムに送信し、
前記管理システムは、前記削除対象となる無線通信装置を前記グループから削除処理する
請求項１乃至８の何れかに記載の無線通信装置。
【請求項１０】
前記受付部は、前記グループに付与されている識別情報およびパスワードを前記グループ情報として受け付ける請求項１乃至９の何れかに記載の無線通信装置。
【請求項１１】
前記ネットワーク接続権は、通信事業者が運営する基地局に接続するための契約認証情報に基づいて前記基地局に接続する権利である請求項１乃至１０の何れかに記載の無線通信装置。
【請求項１２】
前記管理システムは、ＲＯであり、
前記グループを構成する複数の無線通信装置のうち前記ネットワーク接続権を保持する無線通信装置は、前記ネットワーク接続権に基づいてＳＨＯに接続可能であり、
前記グループを構成する複数の無線通信装置のうち前記ネットワーク接続権を保持する無線通信装置以外の無線通信装置は、ＲＯにのみ接続可能である
請求項１乃至１１の何れかに記載の無線通信装置。
【請求項１３】
無線回線を介して所定のネットワークに接続するためのネットワーク接続権を共有する複数の無線通信装置により構成されるグループに追加登録するための操作入力として前記グループを特定するためのグループ情報と前記追加登録に対する承認操作を行う際における承認方法を特定するための承認方法情報とを受け付けると、前記グループに追加登録することを要求する追加要求に前記承認方法情報を含めて前記グループを管理する情報処理装置に無線回線を介して送信する制御部を備える無線通信装置と、
前記グループを構成する複数の無線通信装置以外の他の無線通信装置から前記追加要求を受信した場合に、前記グループを構成する何れかの無線通信装置に、前記追加要求に含まれる前記承認方法情報に係る承認方法により前記承認操作を行わせるための追加承認要求を無線回線を介して送信し、前記追加承認要求を送信した無線通信装置から、前記追加要求に含まれる前記承認方法情報に係る承認方法により前記承認操作が行われた旨の追加承認結果を受信したことを条件に前記追加要求を送信した無線通信装置を前記グループに追加登録する制御部を備える情報処理装置と
を具備する通信システム。
【請求項１４】
無線回線を介して通信事業者が運営する基地局に接続するための契約認証情報に基づいて前記基地局に接続するためのネットワーク接続権を共有する複数の無線通信装置により構成されるグループに追加登録するための操作入力として前記グループを特定するためのグループ情報を受け付ける受付手順と、
有効な前記契約認証情報を保持していないときに前記グループ情報が受け付けられた場合には、前記グループを構成する何れかの無線通信装置において承認操作が行われたことを条件に前記グループに追加登録することを要求する追加要求を、前記グループを管理する管理システムに、無線回線を介した装置固有の識別子に基づく限定接続により送信する送信手順と
を具備する無線通信装置の制御方法。
【請求項１５】
無線回線を介して所定のネットワークに接続するためのネットワーク接続権を共有する複数の無線通信装置により構成されるグループに追加登録することを要求する追加要求であって前記追加要求に対する承認操作を行う際における承認方法を特定するための承認方法情報を含む追加要求を前記複数の無線通信装置以外の他の無線通信装置から受信した場合に前記グループを構成する何れかの無線通信装置に前記追加要求に含まれる前記承認方法情報に係る承認方法により前記承認操作を行わせるための追加承認要求を無線回線を介して送信する第１制御部と、
前記追加承認要求を送信した無線通信装置から、前記追加要求に含まれる前記承認方法情報に係る承認方法により前記承認操作が行われた旨の追加承認結果を受信したことを条件に前記追加要求を送信した無線通信装置を前記グループに追加登録する第２制御部と
を具備する情報処理装置。
【発明の詳細な説明】
【技術分野】
【０００１】
本技術は、無線通信装置に関する。詳しくは、ネットワークに接続する無線通信装置、情報処理装置、これらを備える通信システムおよび無線通信装置の制御方法に関する。
【背景技術】
【０００２】
現在、公衆無線通信ネットワークの技術仕様を策定している３ＧＰＰ（3rd Generation Partnership Project）において機能拡張が検討されている（例えば、非特許文献１参照。）。
【０００３】
この機能拡張（Machine to Machine Equipmentと称される）によれば、サービス利用可能であることを示す情報について柔軟な使い方が可能になる。このサービス利用可能であることを示す情報は、ＭＣＩＭ（Machine Communication Identity Module）である。例えば、ＭＣＩＭをネットワークからダウンロードしたり、一時的に停止したり、再開することができるようになる。
【０００４】
また、現在、このＭＣＩＭに相当する情報は、ＳＩＭ（Subscriber Identity Module）カードと呼ばれる物理デバイスに保存する必要がある。しかしながら、ＭＣＩＭをソフトウェアとして扱うことにより、保存方法も柔軟にすることができるようになる。
【先行技術文献】
【非特許文献】
【０００５】
【非特許文献１】3GPP TR 33.812 V9.2.0（2010-06）
【発明の概要】
【発明が解決しようとする課題】
【０００６】
上述の機能拡張を利用することにより、従来とは異なるＭＣＩＭの使用方法が考えられるようになる。
【０００７】
例えば、複数の無線通信装置間においてＭＣＩＭを共有することが想定される。この場合には、その共有に係る操作等を容易に行うとともに、その共有に係る安全性を維持することが重要である。
【０００８】
本技術はこのような状況に鑑みてなされたものであり、複数の無線通信装置間においてネットワークに接続するための権利を容易に共有し、その共有に係る安全性を維持することを目的とする。
【課題を解決するための手段】
【０００９】
本技術は、上述の問題点を解消するためになされたものであり、その第１の側面は、無線回線を介して所定のネットワークに接続するためのネットワーク接続権を共有する複数の無線通信装置により構成されるグループに追加登録するための操作入力として上記グループを特定するためのグループ情報と上記追加登録に対する承認操作を行う際における承認方法を特定するための承認方法情報とを受け付ける受付部と、上記グループ情報が受け付けられた場合に、上記グループに追加登録することを要求する追加要求に上記承認方法情報を含めて上記グループを管理する管理システムに無線回線を介して送信する制御部とを具備し、上記管理システムは、上記追加要求を受信した場合には、上記グループを構成する何れかの無線通信装置において上記追加要求に含まれる上記承認方法情報に係る承認方法により上記承認操作が行われたことを条件に上記追加要求を送信した無線通信装置を上記グループに追加登録する無線通信装置およびその制御方法ならびに当該方法をコンピュータに実行させるプログラムである。これにより、グループ情報が受け付けられた場合に、追加要求を管理システムに無線回線を介して送信するという作用をもたらす。
また、本技術の第２の側面は、無線回線を介して通信事業者が運営する基地局に接続するための契約認証情報に基づいて上記基地局に接続するためのネットワーク接続権を共有する複数の無線通信装置により構成されるグループに追加登録するための操作入力として上記グループを特定するためのグループ情報を受け付ける受付部と、有効な上記契約認証情報を保持していないときに上記グループ情報が受け付けられた場合には、上記グループを構成する何れかの無線通信装置において承認操作が行われたことを条件に上記グループに追加登録することを要求する追加要求を、上記グループを管理する管理システムに、無線回線を介した装置固有の識別子に基づく限定接続により送信する制御部とを具備する無線通信装置およびその制御方法ならびに当該方法をコンピュータに実行させるプログラムである。これにより、有効な契約認証情報を保持していないときにグループ情報が受け付けられた場合には、追加要求を管理システムに装置固有の識別子に基づく限定接続により送信するという作用をもたらす。
【００１０】
また、この第１の側面において、上記管理システムは、上記追加要求を受信した場合には上記承認操作が行われたことを条件に上記追加要求を送信した無線通信装置を上記グループに追加登録するようにしてもよい。これにより、追加要求を受信した場合には、承認操作が行われたことを条件に、その追加要求を送信した無線通信装置をグループに追加登録するという作用をもたらす。
【００１１】
また、この第１の側面において、上記受付部は、上記承認操作を行う無線通信装置を特定するための無線通信装置情報を受け付け、上記制御部は、上記無線通信装置情報を上記追加要求に含めて送信し、上記管理システムは、上記追加要求を受信した場合には上記追加要求に含まれる上記無線通信装置情報に係る無線通信装置において上記承認操作が行われたことを条件に上記追加要求を送信した無線通信装置を上記グループに追加登録するようにしてもよい。これにより、追加要求を受信した場合には、その追加要求に含まれる無線通信装置情報に係る無線通信装置において承認操作が行われたことを条件に、その追加要求を送信した無線通信装置をグループに追加登録するという作用をもたらす。
【００１２】
また、この第１の側面において、上記受付部は、上記承認操作を行う際における承認方法を特定するための承認方法情報を受け付け、上記制御部は、上記承認方法情報を上記追加要求に含めて送信し、上記管理システムは、上記追加要求を受信した場合には上記追加要求に含まれる上記承認方法情報に係る承認方法により上記承認操作が行われたことを条件に上記追加要求を送信した無線通信装置を上記グループに追加登録するようにしてもよい。これにより、追加要求を受信した場合には、その追加要求に含まれる承認方法情報に係る承認方法により承認操作が行われたことを条件に、その追加要求を送信した無線通信装置をグループに追加登録するという作用をもたらす。
【００１３】
また、この第１の側面において、上記受付部は、上記追加要求に対する承認を選択操作により行う承認方法と、上記追加要求に対する承認を識別情報の入力操作により行う承認方法と、上記追加要求に対する承認を操作部材の操作により行う承認方法との何れかを特定する上記承認方法情報を受け付けるようにしてもよい。これにより、複数の承認方法の何れかを特定する承認方法情報を受け付けるという作用をもたらす。
【００１４】
また、この第１の側面において、上記管理システムは、上記承認操作が行われる無線通信装置が上記ネットワーク接続権を保持する場合には上記承認操作を行うことを要求する追加承認要求を上記ネットワーク接続権に基づく接続により当該無線通信装置に送信するようにしてもよい。これにより、承認操作が行われる無線通信装置がネットワーク接続権を保持する場合には、その承認操作を行うことを要求する追加承認要求を、そのネットワーク接続権に基づく接続によりその無線通信装置に送信するという作用をもたらす。
【００１５】
また、この第１の側面において、上記制御部は、上記追加要求に応じて上記グループに追加登録された旨の通知を上記管理システムから受信した場合に上記グループに追加登録された旨を表示部に表示させるようにしてもよい。これにより、追加要求に応じてグループに追加登録された旨の通知を受信すると、グループに追加登録された旨を表示させるという作用をもたらす。
【００１６】
また、この第１の側面において、上記受付部は、上記グループを構成する何れかの無線通信装置を上記グループから削除するための操作入力を受け付け、上記制御部は、上記削除するための操作入力が受け付けられた場合に当該削除対象となる無線通信装置を上記グループから削除するための削除要求を上記管理システムに送信し、上記管理システムは、上記削除対象となる無線通信装置を上記グループから削除処理するようにしてもよい。これにより、削除するための操作入力が受け付けられた場合にその削除要求を管理システムに送信し、管理システムは、削除対象となる無線通信装置をグループから削除処理するという作用をもたらす。
【００１７】
また、この第１の側面において、上記受付部は、上記グループに付与されている識別情報およびパスワードを上記グループ情報として受け付けるようにしてもよい。これにより、グループに付与されている識別情報およびパスワードをグループ情報として受け付けるという作用をもたらす。
【００１８】
また、この第１の側面において、上記ネットワーク接続権を、通信事業者が運営する基地局に接続するための契約認証情報に基づいて上記基地局に接続する権利とするようにしてもよい。これにより、その契約認証情報に基づいて基地局に接続する権利を共有するという作用をもたらす。
【００１９】
また、この第１の側面において、上記管理システムをＲＯ（Registration Operator）とするようにしてもよい。これにより、グループ情報が受け付けられた場合に、追加要求をＲＯに無線回線を介して送信するという作用をもたらす。
【００２０】
また、この第１の側面において、上記グループを構成する複数の無線通信装置のうち上記ネットワーク接続権を保持する無線通信装置は、上記ネットワーク接続権に基づいてＳＨＯ（Selected Home Operator）に接続可能とし、上記グループを構成する複数の無線通信装置のうち上記ネットワーク接続権を保持する無線通信装置以外の無線通信装置は、ＲＯにのみ接続可能とするようにしてもよい。これにより、ネットワーク接続権を保持する無線通信装置は、ネットワーク接続権に基づいてＳＨＯに接続し、ネットワーク接続権を保持する無線通信装置以外の無線通信装置は、ＲＯにのみ接続するという作用をもたらす。
【００２１】
また、本技術の第３の側面は、無線回線を介して所定のネットワークに接続するためのネットワーク接続権を共有する複数の無線通信装置により構成されるグループに追加登録するための操作入力として上記グループを特定するためのグループ情報と上記追加登録に対する承認操作を行う際における承認方法を特定するための承認方法情報とを受け付けると、上記グループに追加登録することを要求する追加要求に上記承認方法情報を含めて上記グループを管理する情報処理装置に無線回線を介して送信する制御部を備える無線通信装置と、上記グループを構成する複数の無線通信装置以外の他の無線通信装置から上記追加要求を受信した場合に、上記グループを構成する何れかの無線通信装置に、上記追加要求に含まれる上記承認方法情報に係る承認方法により上記承認操作を行わせるための追加承認要求を無線回線を介して送信し、上記追加承認要求を送信した無線通信装置から、上記追加要求に含まれる上記承認方法情報に係る承認方法により上記承認操作が行われた旨の追加承認結果を受信したことを条件に上記追加要求を送信した無線通信装置を上記グループに追加登録する制御部を備える情報処理装置とを具備する通信システムおよびこれにおける制御方法ならびに当該方法をコンピュータに実行させるプログラムである。これにより、無線通信装置は、グループ情報が受け付けられた場合に、追加要求を情報処理装置に無線回線を介して送信し、情報処理装置は、グループを構成する複数の無線通信装置以外の他の無線通信装置から追加要求を受信した場合に、追加承認要求を無線回線を介して送信し、追加承認要求を送信した無線通信装置から承認操作が行われた旨の追加承認結果を受信したことを条件に、その追加要求を送信した無線通信装置をそのグループに追加登録するという作用をもたらす。
また、本技術の第４の側面は、無線回線を介して所定のネットワークに接続するためのネットワーク接続権を共有する複数の無線通信装置により構成されるグループに追加登録することを要求する追加要求であって上記追加要求に対する承認操作を行う際における承認方法を特定するための承認方法情報を含む追加要求を上記複数の無線通信装置以外の他の無線通信装置から受信した場合に上記グループを構成する何れかの無線通信装置に上記追加要求に含まれる上記承認方法情報に係る承認方法により上記承認操作を行わせるための追加承認要求を無線回線を介して送信する第１制御部と、上記追加承認要求を送信した無線通信装置から、上記追加要求に含まれる上記承認方法情報に係る承認方法により上記承認操作が行われた旨の追加承認結果を受信したことを条件に上記追加要求を送信した無線通信装置を上記グループに追加登録する第２制御部とを具備する情報処理装置およびその制御方法ならびに当該方法をコンピュータに実行させるプログラムである。これにより、承認方法情報を含む追加要求を他の無線通信装置から受信した場合に、グループを構成する何れかの無線通信装置にその承認方法情報に係る承認方法により承認操作を行わせるための追加承認要求を送信し、その追加承認要求を送信した無線通信装置から追加承認結果を受信したことを条件にその追加要求を送信した無線通信装置をグループに追加登録するという作用をもたらす。
【発明の効果】
【００２２】
本技術によれば、複数の無線通信装置間においてネットワークに接続するための権利を容易に共有し、その共有に係る安全性を維持することができるという優れた効果を奏し得る。
【図面の簡単な説明】
【００２３】
【図１】本技術の第１の実施の形態における複数の無線通信装置（デバイス）の使用例を簡略化して示す図である。
【図２】本技術の第１の実施の形態における複数の無線通信装置によりＭＣＩＭを共有する場合におけるグループ例を簡略化して示す図である。
【図３】本技術の第１の実施の形態における通信システム１００のシステム構成例を示すブロック図である。
【図４】本技術の第１の実施の形態におけるグループ管理データベース２２０を模式的に示す図である。
【図５】本技術の第１の実施の形態における第１の無線通信装置３００の内部構成例を示すブロック図である。
【図６】本技術の第１の実施の形態における各無線通信装置のユーザインターフェース例を示す図である。
【図７】本技術の第１の実施の形態における各無線通信装置のユーザインターフェース例を示す図である。
【図８】本技術の第１の実施の形態における各無線通信装置のユーザインターフェース例を示す図である。
【図９】本技術の第１の実施の形態における各無線通信装置のユーザインターフェース例を示す図である。
【図１０】本技術の第１の実施の形態における各無線通信装置のユーザインターフェース例を示す図である。
【図１１】本技術の第１の実施の形態における通信システム１００を構成する各装置間における通信処理例を示すシーケンスチャートである。
【図１２】本技術の第１の実施の形態における通信システム１００を構成する各装置間における通信処理例を示すシーケンスチャートである。
【図１３】本技術の第１の実施の形態における第３の無線通信装置４１０による通信処理の処理手順の一例を示すフローチャートである。
【図１４】本技術の第１の実施の形態における第１の無線通信装置３００による通信処理の処理手順の一例を示すフローチャートである。
【図１５】本技術の第１の実施の形態における情報処理装置（ＲＯ）２００による通信処理の処理手順の一例を示すフローチャートである。
【図１６】本技術の第１の実施の形態における情報処理装置（ＲＯ）２００による通信処理の処理手順の一例を示すフローチャートである。
【図１７】本技術の第１の実施の形態における各無線通信装置に表示される表示画面例を示す図である。
【図１８】本技術の第１の実施の形態における各無線通信装置に表示される表示画面例を示す図である。
【図１９】本技術の第１の実施の形態における通信システム１００を構成する各装置間における通信処理例を示すシーケンスチャートである。
【図２０】本技術の第１の実施の形態における通信システム１００を構成する各装置間における通信処理例を示すシーケンスチャートである。
【図２１】本技術の第１の実施の形態における通信システム１００を構成する各装置間における通信処理例を示すシーケンスチャートである。
【図２２】本技術の第１の実施の形態における通信システム１００を構成する各装置間における通信処理例を示すシーケンスチャートである。
【図２３】本技術の第１の実施の形態における通信システム１００を構成する各装置間における通信処理例を示すシーケンスチャートである。
【図２４】本技術の第１の実施の形態における通信システム１００を構成する各装置間における通信処理例を示すシーケンスチャートである。
【図２５】本技術の第１の実施の形態における通信システム１００を構成する各装置間における通信処理例を示すシーケンスチャートである。
【図２６】本技術の第１の実施の形態における通信システム１００を構成する各装置間における通信処理例を示すシーケンスチャートである。
【発明を実施するための形態】
【００２４】
以下、本技術を実施するための形態（以下、実施の形態と称する）について説明する。説明は以下の順序により行う。
１．第１の実施の形態（グループ追加削除制御：ＭＣＩＭを共有するグループに新たなデバイスを追加する例、および、そのグループからデバイスを削除する例）
【００２５】
＜１．第１の実施の形態＞
［無線通信装置の使用例］
図１は、本技術の第１の実施の形態における複数の無線通信装置（デバイス）の使用例を簡略化して示す図である。
【００２６】
図１（ａ）には、複数の無線通信装置（第１の無線通信装置３００および第２の無線通信装置４００）をユーザ１０が使用する状態を示す。第１の無線通信装置３００は、例えば、携帯電話装置（例えば、スマートフォン）であり、第２の無線通信装置４００は、例えば、無線通信機能を備える電子書籍表示装置である。
【００２７】
図１（ｂ）および（ｃ）には、複数の無線通信装置においてＭＣＩＭ（Machine Communication Identity Module）を共有する場合におけるＭＣＩＭの使用権の遷移例を示す。このように、本技術の第１の実施の形態では、ＳＨＯ（Selected Home Operator）１５０およびＲＯ（Registration Operator）２００から構成されるネットワーク構成例を示す（例えば、非特許文献１参照。）。
【００２８】
ここで、ＳＨＯ１５０は、インターネット・サービス等を提供するものであり、例えば、無線接続サービスを提供する無線事業者（例えば、携帯電話事業者）に対応する。また、ＲＯ２００は、初期接続登録等のサービスを提供するものであり、例えば、ＳＨＯ１５０と接続される。
【００２９】
なお、ＲＯ、ＳＨＯは、論理的な役割を示すものであり、異なる事業者により運営されることが想定されるが、同一の事業者により運営されることも想定される。また、ＲＯ、ＳＨＯは、それぞれ複数存在することも想定される。また、ＲＯ、ＳＨＯは、情報処理装置として一体として構成されるようにしてもよく、複数の装置により構成されるようにしてもよい。
【００３０】
ここで、図１（ｂ）および（ｃ）には、有効なＭＣＩＭを保持する無線通信装置を太線で示す。すなわち、図１（ｂ）には、第１の無線通信装置３００が有効なＭＣＩＭを保持する場合を示し、図１（ｃ）には、第２の無線通信装置４００が有効なＭＣＩＭを保持する場合を示す。また、図１（ｂ）および（ｃ）に示すように、第１の無線通信装置３００および第２の無線通信装置４００は、有効なＭＣＩＭを保持する場合にのみ、ＳＨＯ１５０と接続することが可能となる（３０１、４０２）。これに対して、有効なＭＣＩＭを保持していない無線通信装置は、ＰＣＩＤ（Provisional Connectivity Identity）に基づいて、ＲＯ２００と接続することが可能となる（４０１、３０２）。
【００３１】
ここで、ＭＣＩＭは、契約認証情報の一例であり、契約認証情報は、電話の加入者（Subscriber）情報と、認証鍵（Authentication）の情報とを含む情報である。ＭＣＩＭは、例えば、デバイス購入時には特定の通信事業者（例えば、携帯電話事業者）に限定されず、購入後に柔軟に通信事業者を設定することができる契約認証情報（いわゆる、ソフトＳＩＭ（Subscriber Identity Module））である。また、有効なＭＣＩＭを保持していない場合は、例えば、ＭＣＩＭ自体を保持していない場合、または、ＭＣＩＭの無効化処理により無効とされたＭＣＩＭのみを保持している場合を意味する。
【００３２】
また、ＰＣＩＤは、端末固有の識別子（例えば、図４に示す端末識別情報２２５）であり、全ての無線通信装置（デバイス）に付与される。
【００３３】
このように、複数の無線通信装置によりＭＣＩＭの使用権を共有する場合には、この共有に係る複数の無線通信装置を１つのグループとして設定することができる。このグループ例を図２に示す。
【００３４】
［ＭＣＩＭを共有するグループ例］
図２は、本技術の第１の実施の形態における複数の無線通信装置によりＭＣＩＭを共有する場合におけるグループ例を簡略化して示す図である。
【００３５】
図２（ａ）には、第１の無線通信装置３００および第２の無線通信装置４００により構成されるグループＡＢ（点線の矩形１６１で示す）に、第３の無線通信装置４１０を追加する例を示す。なお、「グループＡＢ」は、グループに付与された名称（例えば、図４に示すグループ名称２２１）である。第３の無線通信装置４１０は、例えば、無線通信機能を備える情報処理装置（例えば、ノート型パーソナルコンピュータ）である。
【００３６】
図２（ｂ）には、図２（ａ）に示すグループＡＢ（点線の矩形１６１で示す）に第３の無線通信装置４１０が追加されて、３つのデバイスによりグループＡＢ（点線の矩形１６２で示す）が構成される場合を示す。
【００３７】
また、ユーザ１０は、図２（ｂ）に示すグループＡＢ（点線の矩形１６２で示す）を構成する３つのデバイスのうち、所望のデバイスをグループＡＢから削除させることができる。
【００３８】
ここで、新たなデバイスをグループに追加登録する場合には、その追加操作を容易に行えることが好ましい。また、その追加操作を容易とするとともに、意図しないデバイスが追加されないように、安全性を維持することが重要である。そこで、ＩＤやパスワードを用いて、その追加操作を行うことが考えられる。しかしながら、ＩＤやパスワードが第三者に知られたような場合には、その追加操作の安全性を維持することが困難となることが想定される。そこで、本技術の第１の実施の形態では、ＩＤやパスワードを用いて追加操作を行うとともに、グループに属する他のデバイスにおいてその追加承認を得たことを条件に、そのグループへの追加登録をする。
【００３９】
［通信システムの構成例］
図３は、本技術の第１の実施の形態における通信システム１００のシステム構成例を示すブロック図である。
【００４０】
通信システム１００は、公衆回線網１１０と、ネットワーク制御装置１２０と、情報処理装置（ＲＯ）２００と、基地局１２１、１２２と、第１の無線通信装置３００と、第２の無線通信装置４００と、第３の無線通信装置４１０とを備える。
【００４１】
公衆回線網１１０は、電話網、インターネット等の公衆回線網である。また、公衆回線網１１０とネットワーク制御装置１２０とは、ゲートウェイ（図示せず）を介して接続される。
【００４２】
ネットワーク制御装置１２０は、無線接続サービスを提供する無線事業者により管理される通信制御装置であり、認証制御部（図示せず）を備える。この認証制御部は、基地局１２１、１２２を介して接続される無線通信装置の認証制御を行うものである。ここで、ネットワーク制御装置１２０の認証制御部は、基地局１２１、１２２を介して接続される無線通信装置のうち、特定の場合を除き、有効なＭＣＩＭ（契約認証情報）を保持する無線通信装置を認証する。そして、ネットワーク制御装置１２０は、認証された無線通信装置をゲートウェイ（図示せず）を介して公衆回線網１１０に接続する。
【００４３】
また、ネットワーク制御装置１２０は、情報処理装置（ＲＯ）２００と接続され、情報処理装置（ＲＯ）２００との間で各種情報のやり取りを行う。ここで、有効なＭＣＩＭ（契約認証情報）を保持していない無線通信装置は、その無線通信装置のＰＣＩＤに基づいて、ネットワーク制御装置１２０を介した情報処理装置（ＲＯ）２００との接続（限定接続）が可能である。
【００４４】
基地局１２１、１２２は、第１の無線通信装置３００、第２の無線通信装置４００、第３の無線通信装置４１０と、ネットワーク制御装置１２０とを無線回線１２３乃至１２６を介して接続する移動体通信基地局（ＮｏｄｅＢ）である。
【００４５】
例えば、通信システム１００において、各無線通信装置は、無線回線１２３乃至１２６を介して基地局１２１、１２２と接続され、基地局１２１、１２２を介してネットワーク制御装置１２０と接続される。また、各無線通信装置は、ネットワーク制御装置１２０を介して情報処理装置（ＲＯ）２００と接続される。なお、第１の無線通信装置３００、第２の無線通信装置４００および第３の無線通信装置４１０のそれぞれは、使用されている位置に応じて、基地局１２１、１２２の何れについても接続が可能である。また、通信システム１００において、ネットワーク制御装置１２０、基地局１２１、１２２は、ＳＨＯに相当するものである。
【００４６】
また、情報処理装置（ＲＯ）２００は、初期接続登録等のサービスを提供するものであり、制御部２１０およびグループ管理データベース２２０を備える。なお、情報処理装置（ＲＯ）２００は、特許請求の範囲に記載の情報処理装置および管理システムの一例である。
【００４７】
制御部２１０は、ネットワーク制御装置１２０を介して接続される無線通信装置に関する各種制御を行うものである。例えば、制御部２１０は、ネットワーク接続権を共有する複数の無線通信装置により構成されるグループに追加登録することを要求するグループ追加要求を、そのグループを構成する複数の無線通信装置以外の他の無線通信装置から受信する。このように、グループ追加要求を受信した場合には、制御部２１０は、そのグループを構成する何れかの無線通信装置に、そのグループ追加要求に対する承認操作を行わせるためのグループ追加承認要求を無線回線を介して送信する。ここで、ネットワーク接続権は、無線回線を介して所定のネットワーク（例えば、公衆回線網１１０）に接続するための権利であり、例えば、ＭＣＩＭの使用権に対応する。すなわち、ネットワーク接続権は、通信事業者が運営する基地局に接続するためのＭＣＩＭ（契約認証情報）に基づいて、その基地局に接続するための権利である。また、例えば、ネットワーク接続権の有無は、ＭＣＩＭの使用権の有無により決定することができる。
【００４８】
また、例えば、制御部２１０は、グループ追加承認要求を送信した無線通信装置から、グループ追加要求に対する承認操作が行われた旨のグループ追加承認結果を受信したことを条件に、そのグループの追加要求を送信した無線通信装置をグループに追加登録する。すなわち、制御部２１０は、そのグループ追加要求を送信した無線通信装置をグループに追加登録するための更新をグループ管理データベース２２０に行う。
【００４９】
グループ管理データベース２２０は、ＭＣＩＭを共有する複数の無線通信装置により構成されるグループを管理するためのデータベースである。なお、グループ管理データベース２２０については、図４を参照して詳細に説明する。
【００５０】
ここで、通信システム１００において、ＭＣＩＭの使用権を移転する例について説明する。例えば、各無線通信装置にＭＣＩＭを保持させておく。そして、制御部２１０の制御に基づいて、各無線通信装置におけるＭＣＩＭの有効化／無効化を行うことにより、ＭＣＩＭの使用権を移転することができる。
【００５１】
また、各無線通信装置にＭＣＩＭを保持させる代わりに、ＭＣＩＭそのものを転送することにより、ＭＣＩＭの使用権を移転するようにしてもよい。例えば、第１の無線通信装置３００から第２の無線通信装置４００にＭＣＩＭの使用権を移転する場合を想定する。例えば、ＭＣＩＭ移転要求が、第１の無線通信装置３００から制御部２１０に送信される。この場合には、制御部２１０の制御に基づいて、第１の無線通信装置３００に保持されているＭＣＩＭが無効（消去）とされ、制御部２１０を介してネットワーク制御装置１２０から第２の無線通信装置４００に移転情報（ＭＣＩＭを含む設定情報）が送信される。この移転情報に含まれるＭＣＩＭを第２の無線通信装置４００に保持させることにより、第２の無線通信装置４００に有効なＭＣＩＭが設定される。
【００５２】
［グループ管理データベースの構成例］
図４は、本技術の第１の実施の形態におけるグループ管理データベース２２０を模式的に示す図である。なお、図４（ａ）には、グループＡＢに、第１の無線通信装置３００および第２の無線通信装置４００が登録されている場合を示す。また、図４（ｂ）には、図４（ａ）に示すグループＡＢに、第３の無線通信装置４１０が追加登録された場合を示す。
【００５３】
グループ管理データベース２２０には、グループ名称２２１と、グループＩＤ２２２と、グループパスワード２２３と、デバイスネーム２２４と、端末識別情報２２５と、有効無効情報２２６とがグループ単位で関連付けて記録されている。これらの情報は、例えば、各無線通信装置からの各要求（グループ追加要求、グループ削除要求）に基づいて、制御部２１０により順次更新される。
【００５４】
グループ名称２２１には、グループに付与されている名称が格納される。この名称は、例えば、グループの作成時に格納される。
【００５５】
グループＩＤ２２２には、グループに付与されているＩＤが格納される。また、グループパスワード２２３には、グループに付与されているパスワードが格納される。これらのＩＤおよびパスワードを用いてグループ追加要求が行われる。
【００５６】
デバイスネーム２２４には、デバイスに付与されている名称が格納される。この名称は、例えば、グループへの追加登録時に格納される。
【００５７】
端末識別情報２２５には、無線通信装置（デバイス）の端末識別番号が格納される。この端末識別情報は、無線通信装置を識別するための識別情報であり、例えば、ＰＣＩＤが格納される。また、図４では、端末識別情報２２５の「ＰＣＩＤ＃１」が第１の無線通信装置３００に対応するものとする。同様に、端末識別情報２２５の「ＰＣＩＤ＃２」が第２の無線通信装置４００に対応し、端末識別情報２２５の「ＰＣＩＤ＃３」が第３の無線通信装置４１０に対応するものとする。
【００５８】
有効無効情報２２６には、無線通信装置におけるＭＣＩＭが有効であるか、無効（または、ＭＣＩＭを未保持）であるかを示す情報が格納される。なお、図４では、説明の容易のため、ＭＣＩＭが有効である無線通信装置には「有効」を示し、ＭＣＩＭが無効である無線通信装置には「無効」を示す。
【００５９】
［無線通信装置の構成例］
図５は、本技術の第１の実施の形態における第１の無線通信装置３００の内部構成例を示すブロック図である。なお、第２の無線通信装置４００および第３の無線通信装置４１０の内部構成については、第１の無線通信装置３００と同様であるため、ここでの説明を省略する。
【００６０】
第１の無線通信装置３００は、アンテナ３１１と、アンテナ共用部３１２と、変調部３２１と、復調部３２２と、制御部３３０と、メモリ３４０と、ＭＣＩＭ情報記憶部３５０とを備える。また、第１の無線通信装置３００は、操作部３６０と、表示部３７０と、位置情報取得部３８０と、マイクロフォン３９１と、スピーカ３９２とを備える。また、各部がバス３３１により接続される。第１の無線通信装置３００は、例えば、通話およびデータ通信が可能な携帯電話装置により実現される。
【００６１】
例えば、受信処理が行われる場合には、アンテナ３１１により受信された電波が、アンテナ共用部３１２を経由して復調部３２２により復調され、この復調された受信データが制御部３３０に供給される。その受信処理が受話処理である場合には、その復調された受信データ（音声データ）が制御部３３０を経由してスピーカ３９２から音声として出力される。
【００６２】
また、例えば、送信処理が行われる場合には、制御部３３０により出力された送信データが変調部３２１により変調され、変調された送信データがアンテナ共用部３１２を経由してアンテナ３１１から送信される。その送信処理が送話処理である場合には、マイクロフォン３９１から入力された音声データが制御部３３０を経由して変調部３２１により変調され、変調された送信データ（音声データ）がアンテナ共用部３１２を経由してアンテナ３１１から送信される。
【００６３】
制御部３３０は、メモリ３４０に格納されている制御プログラムに基づいて各種の制御を行うものである。制御部３３０は、例えば、マイクロプロセッサにより構成される。例えば、制御部３３０は、変調部３２１および復調部３２２と接続され、基地局１２１、１２２を介して接続されるネットワーク制御装置１２０との間で行われる各種データの送受信を行う。また、制御部３３０は、例えば、ＭＣＩＭを用いずにＰＣＩＤに基づく限定接続により無線回線を介してＲＯ２００と接続する接続処理を行う。
【００６４】
メモリ３４０は、制御部３３０が各種制御を行うための制御プログラム、送信データ、受信データ等を格納するメモリである。メモリ３４０は、例えば、ＲＯＭ（Read Only Memory）やＲＡＭ（Random Access Memory）により構成される。また、メモリ３４０には、第１の無線通信装置３００を特定するための端末識別情報（ＰＣＩＤ＃１）が記録されている。
【００６５】
ＭＣＩＭ情報記憶部３５０は、ＭＣＩＭ（契約認証情報）を保持するメモリである。ＭＣＩＭ情報記憶部３５０として、例えば、ＵＩＣＣ（Universal Integrated Circuit）カードを用いるようにしてもよく、ＭＣＩＭをセキュアに保つための専用メモリを用いるようにしてもよい。なお、ＭＣＩＭ情報記憶部３５０としてＵＩＣＣカードを用いる場合には、ＭＣＩＭが固定的に書き込まれているものではなく、ＭＣＩＭの有効化処理および無効化処理が可能なものを用いる。すなわち、アンテナ３１１から受信して復調された移転情報に基づいて制御部３３０がＭＣＩＭの有効化処理および無効化処理が可能なものを用いる。また、ＭＣＩＭの書換処理が可能なものを用いる。なお、ＭＣＩＭの有効化処理および無効化処理については、３ＧＰＰ（Third Generation Partnership Project）に規定されている有効化処理および無効化処理により行うことができる。
【００６６】
ここで、制御部３３０は、例えば、グループに追加登録するための操作入力が操作部３６０において受け付けられた場合に、そのグループ追加要求をＲＯ２００に無線回線を介して送信する。このグループ追加要求は、例えば、そのグループを構成する何れかの無線通信装置において承認操作が行われたことを条件に、そのグループに第１の無線通信装置３００を追加登録することを要求するものである。
【００６７】
また、ＲＯ２００は、グループ追加要求を受信した場合には、そのグループ追加要求に係るグループを構成する何れかの無線通信装置において承認操作が行われたことを条件に、そのグループ追加要求を送信した無線通信装置をそのグループに追加登録する。
【００６８】
また、ＲＯ２００は、グループ追加要求に含まれる無線通信装置情報（承認デバイス情報）に係る無線通信装置において承認操作が行われたことを条件に、そのグループ追加要求を送信した無線通信装置をそのグループに追加登録する。
【００６９】
また、ＲＯ２００は、グループ追加要求に含まれる承認方法情報に係る承認方法により承認操作が行われたことを条件に、そのグループ追加要求を送信した無線通信装置をそのグループに追加登録する。
【００７０】
また、制御部３３０は、例えば、グループを構成する何れかの無線通信装置をそのグループから削除するための操作入力が受け付けられた場合に、その削除対象となる無線通信装置をそのグループから削除するためのグループ削除要求をＲＯ２００に送信する。そして、ＲＯ２００は、その削除対象となる無線通信装置をそのグループから削除処理する。
【００７１】
操作部３６０は、ユーザにより操作された操作入力を受け付ける操作受付部であり、受け付けられた操作入力に応じた信号を制御部３３０に出力する。操作部３６０は、例えば、数字キーやアルファベットキー等の各種キーを備え、グループ追加要求を指示するユーザによる指示操作（所定操作）を受け付ける。なお、操作部３６０は、特許請求の範囲に記載の受付部の一例である。
【００７２】
表示部３７０は、制御部３３０の制御に基づいて、各種情報（文字情報や時刻情報等）を表示する表示部である。表示部３７０は、例えば、グループ追加要求に関する各情報（例えば、図６乃至図８、図１０に示す表示画面）を表示する。なお、表示部３７０として、例えば、有機ＥＬ（Electro Luminescence）パネル、ＬＣＤ（Liquid Crystal Display）パネル等の表示パネルを用いることができる。なお、操作部３６０および表示部３７０については、使用者がその指を表示面に接触または近接することにより操作入力を行うことが可能なタッチパネルを用いて一体で構成することができる。
【００７３】
位置情報取得部３８０は、第１の無線通信装置３００が存在する位置を示す位置情報を取得するものであり、この取得された位置情報を制御部３３０に出力する。位置情報取得部３８０は、例えば、ＧＰＳ（Global Positioning System）信号受信アンテナ（図示せず）により受信されたＧＰＳ信号に基づいて位置情報を算出するＧＰＳユニットにより実現することができる。この算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。
【００７４】
［有効なＭＣＩＭを保持するデバイスに追加承認を求める場合における通信例］
図６乃至図１０は、本技術の第１の実施の形態における各無線通信装置のユーザインターフェース例を示す図である。これらのユーザインターフェースについては、図１１に示すシーケンスチャートを参照して詳細に説明する。
【００７５】
図１１は、本技術の第１の実施の形態における通信システム１００を構成する各装置間における通信処理例を示すシーケンスチャートである。
【００７６】
図１１では、第１の無線通信装置３００および第２の無線通信装置４００により「グループＡＢ」が構成されている場合において、第１の無線通信装置３００が有効なＭＣＩＭを保持している場合を想定して説明する。また、図１１では、「グループＡＢ」に未加入の第３の無線通信装置４１０を操作することにより、第３の無線通信装置４１０を「グループＡＢ」に追加登録する場合における通信処理を例にして説明する。この場合に、有効なＭＣＩＭを保持している第１の無線通信装置３００にグループ追加承認を要求する例について説明する。なお、図１１では、第１の無線通信装置３００がＳＨＯ１５０と接続状態（６０１）とされ、第２の無線通信装置４００および第３の無線通信装置４１０がＲＯ２００と接続状態（６０２、６０３）とされているものとする。
【００７７】
最初に、第３の無線通信装置４１０を「グループＡＢ」に追加するための表示画面が第３の無線通信装置４１０の表示部３７０に表示される。
【００７８】
図６および図７には、追加操作を行うための表示画面の一例（表示画面５００、５１０、５１３）を示す。
【００７９】
図６に示す表示画面５００は、第３の無線通信装置４１０を「グループＡＢ」に追加するための追加操作を行うための表示画面である。表示画面５００には、グループのＩＤ入力欄５０１と、グループのパスワード入力欄５０２と、デバイスネーム入力欄５０３と、承認するデバイス指定領域５０４と、承認方法選択領域５０５と、確定ボタン５０６と、戻るボタン５０７とが設けられている。
【００８０】
グループのＩＤ入力欄５０１は、第３の無線通信装置４１０を追加するグループのＩＤを入力するための領域である。
【００８１】
グループのパスワード入力欄５０２は、第３の無線通信装置４１０を追加するグループのパスワードを入力するための領域である。
【００８２】
デバイスネーム入力欄５０３は、グループ管理データベース２２０のデバイスネーム２２４に格納するデバイスネームを入力するための領域である。なお、デバイスネームの登録が不要な場合には、その入力を省略することができる。
【００８３】
承認するデバイス指定領域５０４は、グループ追加要求に対する承認を行うデバイスを指定するための領域である。例えば、プルダウンボタン（▼）が押下されると、「デバイスを手動で指定」、「デバイスを自動で指定」が一覧表示される。そして、一覧表示されている「デバイスを手動で指定」、「デバイスを自動で指定」の何れかを選択することができる。例えば、「デバイスを手動で指定」が選択された場合には、図７（ａ）に示す表示画面５１０が表示され、表示画面５１０において、ユーザが所望するデバイスを指定することができる。また、「デバイスを自動で指定」が選択された場合には、グループ追加要求に対する承認を行うデバイスがＲＯ２００により自動で指定される。
【００８４】
承認方法選択領域５０５は、グループ追加要求に対する承認方法を選択するための領域である。例えば、プルダウンボタン（▼）が押下されると、「承認デバイスでの選択操作で追加承認」、「承認デバイスでの番号入力操作で追加承認」、「承認デバイスでのボタン押下操作で追加承認」が一覧表示される。そして、一覧表示されている「承認デバイスでの選択操作で追加承認」、「承認デバイスでの番号入力操作で追加承認」、「承認デバイスでのボタン押下操作で追加承認」の何れかを選択することができる。例えば、「承認デバイスでの選択操作で追加承認」が選択された場合における承認方法の一例については図８（ａ）に示す。また、「承認デバイスでの番号入力操作で追加承認」が選択された場合には、図７（ｂ）に示す表示画面５１３が表示され、表示画面５１３において、ユーザが所望する番号を入力することができる。また、「承認デバイスでの番号入力操作で追加承認」が選択された場合における承認方法の一例については図８（ｂ）に示す。また、「承認デバイスでのボタン押下操作で追加承認」が選択された場合における承認方法の一例については図９に示す。
【００８５】
確定ボタン５０６は、上述した各操作（入力操作、選択操作）がされた後に、その操作内容を確定する際に押下されるボタンである。
【００８６】
戻るボタン５０７は、例えば、直前に表示されていた表示画面に戻る場合に押下されるボタンである。なお、図７、図８等に示す確定ボタン５０６および戻るボタン５０７についても略同様であるため、図７、図８等では、これらと同一の符号を付してこれらの説明を省略する。
【００８７】
図７（ａ）に示す表示画面５１０は、図６に示す承認するデバイス指定領域５０４において、「デバイスを手動で指定」が選択された場合に表示される表示画面であり、グループ追加要求に対する承認を行うデバイスを指定するための表示画面である。具体的には、表示画面５１０には、デバイス識別情報入力欄５１１およびデバイスネーム入力欄５１２が設けられている。
【００８８】
表示画面５１０において、デバイス識別情報入力欄５１１およびデバイスネーム入力欄５１２の少なくとも１つに、ユーザが所望するデバイスを特定するための情報を入力することにより、ユーザが所望するデバイスを指定することができる。
【００８９】
図７（ｂ）に示す表示画面５１３は、図６に示す承認方法選択領域５０５において、「承認デバイスでの番号入力操作で追加承認」が選択された場合に表示される表示画面である。表示画面５１３における番号入力欄５１４において、ユーザが所望する番号（識別情報）を入力することができる。
【００９０】
ここで、図６に示す表示画面５００において、グループのＩＤ入力欄５０１およびグループのパスワード入力欄５０２には、「グループＡＢ」のＩＤおよびパスワードが入力される（６０４）。「グループＡＢ」のＩＤおよびパスワードは、「グループＡＢ」に関するグループ情報の一例である。また、デバイスネーム入力欄５０３には「パソコン君」が入力され、承認するデバイス指定領域５０４および承認方法選択領域５０５において、ユーザが所望する指定操作が行われる（６０４）。これらの入力操作および指定操作が行われた後に、確定ボタン５０６が押下される（６０４）。
【００９１】
このようにグループＡＢへの追加操作が受け付けられた場合には（６０４）、その追加操作に対応するグループ追加要求が第３の無線通信装置４１０からＲＯ２００に送信される（６０５、６０６）。上述したように、第３の無線通信装置４１０がＲＯ２００と接続状態（６０３）とされているため、グループ追加要求は、第３の無線通信装置４１０からＲＯ２００に直接送信される（６０５、６０６）。
【００９２】
ここで、グループ追加要求には、表示画面５００において入力された各情報と、グループ追加要求を行ったデバイスの識別情報（メモリ３４０に記録されている端末識別情報（ＰＣＩＤ＃３））とが含まれる。表示画面５００において入力された各情報は、例えば、グループのＩＤおよびパスワードと、デバイスネームと、グループ追加要求に対して承認するデバイスに関する情報（承認デバイス情報）と、その承認の方法に関する情報（承認方法情報）とである。
【００９３】
グループ追加要求をＲＯ２００が受信すると（６０６）、制御部２１０は、グループ管理データベース２２０の内容に基づいて、受信したグループ追加要求について認証処理を行う（６０７）。具体的には、受信したグループ追加要求に含まれるグループのＩＤおよびパスワードが、グループ管理データベース２２０に記憶されているグループのＩＤおよびパスワードと一致するか否かが判断される。そして、ＩＤおよびパスワードが一致するグループが存在する場合には、受信したグループ追加要求に含まれる承認デバイス情報に対応するデバイスがそのグループに存在するが否かが判断される。
【００９４】
また、図６に示す承認するデバイス指定領域５０４において、「デバイスを自動で指定」が選択された場合には、グループ追加要求に対する承認を行うデバイスを制御部２１０がグループ管理データベース２２０の内容に基づいて自動で選択する。このため、承認デバイス情報に対応するデバイスが存在するが否かを判断する代わりに、グループ追加要求に含まれるＩＤおよびパスワードが一致するグループに属するデバイスのうち、所定条件を満たすデバイスが、その承認を行うデバイスとして選択される。所定条件を満たすデバイスは、例えば、グループ追加要求の受信時において、有効なＭＣＩＭを保持するデバイスとすることができる。また、そのグループに属するデバイスのうちからランダムに選択するようにしてもよい。
【００９５】
ここで、受信したグループ追加要求に関する認証処理により認証がされなかった場合には（６０７）、そのグループ追加要求に係るグループに追加できない旨が第３の無線通信装置４１０に送信され、第３の無線通信装置４１０に表示される。認証がされない場合は、例えば、受信したグループ追加要求に含まれるグループのＩＤおよびパスワードが、グループ管理データベース２２０のものと一致しない場合である。または、受信したグループ追加要求に含まれる承認デバイス情報に対応するデバイスがそのグループに存在しない場合である。
【００９６】
受信したグループ追加要求に関する認証処理により認証された場合には（６０７）、そのグループ追加要求に対する承認を行うデバイスに、グループ追加承認要求が送信される（６０８乃至６１１）。図１１に示す例では、受信したグループ追加要求に含まれる承認デバイス情報に対応するデバイス（または、ＲＯ２００により自動で選択されたデバイス）は、第１の無線通信装置３００であるものとする。また、上述したように、第１の無線通信装置３００はＳＨＯ１５０と接続状態（６０１）とされている。このため、グループ追加承認要求は、ＳＨＯ１５０を介して、ＲＯ２００から第１の無線通信装置３００に送信される（６０８乃至６１１）。ここで、グループ追加承認要求には、グループ追加要求に含まれていた各情報（グループ追加要求を行ったデバイスの識別情報、グループのＩＤおよびパスワード、デバイスネーム、承認デバイス情報、承認方法情報）が含まれる。
【００９７】
第１の無線通信装置３００がグループ追加承認要求を受信すると（６１１）、グループ追加承認を行うための表示画面が第１の無線通信装置３００の表示部３７０に表示される（６１２）。
【００９８】
図８には、追加承認操作を行うための表示画面の一例（表示画面５１５、５２０）を示す。
【００９９】
図８（ａ）には、選択操作により追加承認を行う表示画面５１５を示す。具体的には、表示画面５１５には、追加要求デバイス表示領域５１６と、追加承認ボタン５１７と、追加未承認ボタン５１８と、確定ボタン５０６と、戻るボタン５０７とが設けられている。
【０１００】
追加要求デバイス表示領域５１６は、グループ追加要求を行ったデバイスに関する情報（追加要求デバイス情報）を表示する領域である。例えば、追加要求デバイス情報として、デバイスネーム（グループ追加要求に含まれている場合）および端末識別情報が表示される。また、図８（ｂ）に示す表示画面５２０における追加要求デバイス表示領域５１６についても同様である。
【０１０１】
追加承認ボタン５１７は、グループ追加要求を行ったデバイスを、そのグループ追加要求に係るグループに追加することを承認する場合に押下されるボタンである。
【０１０２】
追加未承認ボタン５１８は、グループ追加要求を行ったデバイスを、そのグループ追加要求に係るグループに追加することを承認しない場合に押下されるボタンである。
【０１０３】
このように、表示画面５１５において、「ＹＥＳ」ボタン（追加承認ボタン５１７）または「ＮＯ」ボタン（追加未承認ボタン５１８）の押下操作により追加承認を行うことができる。
【０１０４】
図８（ｂ）には、番号の入力操作により追加承認を行う表示画面５２０を示す。具体的には、表示画面５２０には、追加要求デバイス表示領域５１６と、番号入力欄５２１と、確定ボタン５０６と、戻るボタン５０７とが設けられている。
【０１０５】
番号入力欄５２１は、グループ追加要求を行ったデバイスにおいて入力された番号（図７（ｂ）に示す番号入力欄５１４において入力された番号）と同一の番号を入力するための表示領域である。例えば、図７（ｂ）に示す番号入力欄５１４において入力された番号がグループ追加承認要求に含まれる。そして、グループ追加承認要求に含まれる番号と、第１の無線通信装置３００において入力された番号とが一致するか否かを、第１の無線通信装置３００の制御部３３０が判断する。この判断の結果、これらの番号が一致した場合には、そのグループ追加承認要求に係るグループに追加することを承認したものと判断する。一方、これらの番号が一致しない場合には、そのグループ追加承認要求に係るグループに追加することを承認しないものと判断する。
【０１０６】
このように、表示画面５２０において、番号の入力操作により追加承認を行うことができる。
【０１０７】
このように、表現力が比較的豊かなユーザインターフェース（表示部）を備える無線通信装置において追加承認を行う場合には、その表示部に追加承認画面（表示画面５１５、５２０）を表示させ、この追加承認画面を用いて、追加承認操作を行うことができる。しかしながら、表現力が限定されているユーザインターフェースのみを備える無線通信装置において追加承認を行う場合には、上述した追加承認画面を表示させることができないことも想定される。そこで、図９では、表現力が限定されているユーザインターフェースのみを備える無線通信装置において追加承認を行う例を示す。
【０１０８】
図９には、表現力が限定されているユーザインターフェースのみを備える無線通信装置において、追加承認操作を行う際に用いられる操作部材の一例（発光部５２６、操作部５２７）を示す。図９には、表現力が限定されているユーザインターフェースのみを備える無線通信装置として、スピーカ５２５を示す。
【０１０９】
図９（ａ）には、スピーカ５２５の正面側の斜視図を示し、図９（ｂ）には、スピーカ５２５の裏面側の斜視図を示す。また、スピーカ５２５は、発光部５２６および操作部５２７を備える。また、スピーカ５２５の通信に関する内部構成については、図５に示す第１の無線通信装置３００と略同様であるものとする。例えば、発光部５２６は、表示部３７０に対応し、操作部５２７は、操作部３６０に対応する。
【０１１０】
発光部５２６は、スピーカ５２５の外装面に設けられる発光部であり、例えば、ＬＥＤ（Light Emitting Diode）により構成される。また、発光部５２６は、制御部からの制御信号に基づいて点灯または消灯する。
【０１１１】
例えば、スピーカ５２５がグループ追加承認要求を受信した場合には、発光部５２６が所定の点滅動作（例えば、一定間隔で５回点滅）を行うことにより、追加承認要求を受信した旨をユーザに通知することができる。また、例えば、発光部５２６として複数のＬＥＤを備え、これらのＬＥＤの組合せによる点灯パターンにより、グループ追加承認要求を受信した旨をユーザに通知することができる。
【０１１２】
操作部５２７は、スピーカ５２５の外装面に設けられる１または複数の操作部材により構成される。例えば、発光部５２６によりグループ追加承認要求を受信した旨が通知された場合に、所定時間内に、ユーザが所定の操作部材の操作（例えば、決定ボタンの５回の連続押下操作）を行うことにより、追加承認操作を行うことができる。なお、発光部５２６によりグループ追加承認要求を受信した旨が通知された場合において、所定時間内に、所定の操作部材の操作が行われない場合には、追加承認操作が行われなかったものと判断される。
【０１１３】
このように、本技術の第１の実施の形態によれば、ＵＩ（ユーザインターフェース）が十分でないデバイスであっても、承認操作を行うことができる。このため、各種の無線通信装置において承認操作を行うことができる。
【０１１４】
ここで、第１の無線通信装置３００がグループ追加承認要求を受信した場合に（６１１）、図８（ａ）に示す表示画面５１５が表示される場合を例にして説明する。例えば、表示画面５１５において、追加承認ボタン５１７が押下されたものとする（６１２）。このようにグループ追加承認を行ったデバイスの確認後に追加承認ボタン５１７が押下された場合には（６１２）、グループ追加承認結果が第１の無線通信装置３００からＲＯ２００に送信される（６１３乃至６１６）。この場合についても、第１の無線通信装置３００はＳＨＯ１５０と接続状態（６０１）とされていため、グループ追加承認結果は、ＳＨＯ１５０を介して、第１の無線通信装置３００からＲＯ２００に送信される（６１３乃至６１６）。
【０１１５】
グループ追加を承認する旨のグループ追加承認結果を受信した場合には（６１６）、ＲＯ２００は、グループ管理データベース２２０の内容を更新する（６１７）。すなわち、グループ管理データベース２２０において、グループＡＢに第３の無線通信装置４１０が追加登録される（図４（ａ）に示す状態から図４（ｂ）に示す状態に更新される（点線の矩形２２７））。なお、グループ追加を承認しない旨のグループ追加承認結果を受信した場合には（６１６）、ＲＯ２００は、グループ管理データベース２２０の内容を更新せずに、その旨を第３の無線通信装置４１０に送信する。
【０１１６】
続いて、ＲＯ２００は、グループ追加を承認する旨のグループ追加承認結果を第３の無線通信装置４１０に送信する（６１８、６１９）。グループ追加を承認する旨のグループ追加承認結果を受信すると（６１９）、その旨が第３の無線通信装置４１０の表示部３７０に表示される（６２０）。この表示例を図１０に示す。
【０１１７】
図１０には、グループ追加が承認された旨を示す表示画面の一例（表示画面５３０）を示す。具体的には、表示画面５３０には、グループ追加が承認された旨を示すメッセージが表示され、さらに、ＭＣＩＭが有効なデバイス表示領域５３１と、ＭＣＩＭの移転操作画面へボタン５３２と、確認ボタン５３３とが設けられている。
【０１１８】
ＭＣＩＭが有効なデバイス表示領域５３１は、追加が承認されたグループに属するデバイスのうち、ＭＣＩＭが有効なデバイスに関する情報（デバイス情報）を表示する領域である。例えば、グループ管理データベース２２０の内容がグループ追加承認結果に含まれ、その内容に基づいてそのデバイス情報が表示される。
【０１１９】
ＭＣＩＭの移転操作画面へボタン５３２は、追加が承認されたグループに属するデバイス間においてＭＣＩＭの移転を行うための操作を行う表示画面に遷移する際に押下されるボタンである。
【０１２０】
確認ボタン５３３は、グループ追加が承認された旨と、ＭＣＩＭが有効なデバイスとの確認後に、ユーザにより押下されるボタンである。この確認ボタン５３３が押下された場合には、所定の表示画面（例えば、初期画面）が表示される。
【０１２１】
このように、第３の無線通信装置４１０において追加操作を行うことにより、第３の無線通信装置４１０をグループＡＢに追加することができる。この場合に、グループＡＢに属する他のデバイスによる追加承認を得た後に、第３の無線通信装置４１０をグループＡＢに追加するため、意図しないデバイスがグループＡＢに追加されることを防止することができる。例えば、グループＡＢのグループＩＤやグループパスワードが第三者に漏れた場合でも、その第三者のデバイスがグループＡＢに追加されることを防止することができる。
【０１２２】
［有効なＭＣＩＭを保持しないデバイスに追加承認を求める場合における通信例］
図１２は、本技術の第１の実施の形態における通信システム１００を構成する各装置間における通信処理例を示すシーケンスチャートである。なお、図１２に示すシーケンスチャートは、図１１の変形例であるため、図１１と共通する部分については、同一の符号を付して、これらの説明の一部を省略する。また、図１２では、有効なＭＣＩＭを保持していない第２の無線通信装置４００にグループ追加承認を要求する例について説明する。このように、有効なＭＣＩＭを保持していない第２の無線通信装置４００は、ＰＣＩＤに基づくＲＯ２００との限定接続しかできない。このため、図１２に示す例では、ＲＯ２００から第２の無線通信装置４００にグループ追加承認要求が直接送信され、第２の無線通信装置４００からＲＯ２００にグループ追加承認結果が直接送信される。
【０１２３】
図１２に示す各処理（６２１乃至６２４）は、図１１に示す各処理（６０４乃至６０７）に対応する。ただし、グループＡＢへの追加操作として、第２の無線通信装置４００にグループ追加承認を要求する操作が行われている点が異なる。
【０１２４】
また、図１２に示す各処理（６２５乃至６３０）は、図１１に示す各処理（６０８乃至６１７）に対応する。ただし、上述したように、第２の無線通信装置４００はＲＯ２００と接続状態（６０２）とされているため、グループ追加承認要求は、ＳＨＯ１５０を介さずに、ＲＯ２００から第２の無線通信装置４００に直接送信される点が異なる（６２５、６２６）。また、グループ追加承認結果についても同様に、ＳＨＯ１５０を介さずに、第２の無線通信装置４００からＲＯ２００に直接送信される点が異なる（６２８、６２９）。
【０１２５】
また、図１２に示す各処理（６３１乃至６３３）は、図１１に示す各処理（６１８乃至６２０）に対応する。
【０１２６】
［通信システムの動作例］
次に、本技術の第１の実施の形態における通信システム１００の動作について図面を参照して説明する。なお、図１３および図１４では、第３の無線通信装置４１０における動作例のみを示すが、他の無線通信装置における動作についても同様に適用することができる。
【０１２７】
［無線通信装置（グループ追加要求の送信元）の動作例］
図１３は、本技術の第１の実施の形態における第３の無線通信装置４１０による通信処理の処理手順の一例を示すフローチャートである。図１３では、第３の無線通信装置４１０がグループ追加要求を行う場合を例にして説明する。
【０１２８】
最初に、制御部３３０が、ＭＣＩＭを共有するグループへの追加操作が行われたか否かを判断し（ステップＳ９０１）、その追加操作が行われていない場合には、監視を継続して行う。
【０１２９】
その追加操作が行われた場合には（ステップＳ９０１）、制御部３３０が、ＭＣＩＭを共有するグループへの追加操作を行うための表示画面（（グループ追加操作画面（例えば、図６に示す表示画面５００））を表示部３７０に表示させる（ステップＳ９０２）。続いて、制御部３３０が、その表示画面において、グループ追加要求の送信操作（例えば、図６に示す表示画面５００における必要事項の操作後の確定ボタン５０６の押下操作）が行われたか否かを判断する（ステップＳ９０３）。そして、その送信操作が行われていない場合には（ステップＳ９０３）、監視を継続して行う。
【０１３０】
続いて、グループ追加要求の送信操作（追加操作）が行われた場合には（ステップＳ９０３）、制御部３３０が、その追加操作に対応するグループ追加要求をＲＯ２００に送信する（ステップＳ９０４）。なお、ステップＳ９０３は、特許請求の範囲に記載の受付手順の一例である。また、ステップＳ９０４は、特許請求の範囲に記載の送信手順の一例である。
【０１３１】
続いて、グループ追加を承認する旨のグループ追加承認結果を受信したか否かが判断され（ステップＳ９０５）、グループ追加承認結果を受信していない場合には、監視を継続して行う。一方、グループ追加承認結果を受信した場合には（ステップＳ９０５）、制御部３３０は、グループ追加を承認する旨（例えば、図１０に示す表示画面５３０）を表示部３７０に表示させる（ステップＳ９０６）。
【０１３２】
なお、グループ追加要求に係るグループに追加できない旨を受信した場合には、制御部３３０は、その旨を表示部３７０に表示させる。
【０１３３】
［無線通信装置（グループ追加承認要求の送信先）の動作例］
図１４は、本技術の第１の実施の形態における第１の無線通信装置３００による通信処理の処理手順の一例を示すフローチャートである。図１４では、第１の無線通信装置３００がグループ追加承認要求を受ける場合を例にして説明する。
【０１３４】
最初に、制御部３３０が、グループ追加承認要求を受信したか否かを判断し（ステップＳ９１１）、グループ追加承認要求を受信していない場合には、監視を継続して行う。
【０１３５】
グループ追加承認要求を受信した場合には（ステップＳ９１１）、制御部３３０が、グループ追加承認を行うための表示画面（グループ追加承認画面（例えば、図８に示す表示画面５１５、５２０））を表示部３７０に表示させる（ステップＳ９１２）。ここで、グループ追加承認画面は、グループ追加要求を行ったデバイスにおいて選択された承認方法に応じて表示される。
【０１３６】
続いて、制御部３３０が、グループ追加承認画面において、操作入力が受け付けられたか否かを判断する（ステップＳ９１３）。グループ追加承認画面において、操作入力が受け付けられた場合には（ステップＳ９１３）、制御部３３０が、その操作入力は、追加承認を行う旨の操作入力であるか否かを判断する（ステップＳ９１４）。
【０１３７】
追加承認する旨の操作入力が受け付けられた場合には（ステップＳ９１４）、制御部３３０が、その旨のグループ追加承認結果をＳＨＯ１５０を介してＲＯ２００に送信する（ステップＳ９１５）。一方、追加承認しない旨の操作入力が受け付けられた場合には（ステップＳ９１４）、制御部３３０が、その旨のグループ追加承認結果をＳＨＯ１５０を介してＲＯ２００に送信する（ステップＳ９１７）。なお、有効なＭＣＩＭを保持しない無線通信装置の場合には、グループ追加承認結果がＲＯ２００に直接送信される（ステップＳ９１５、Ｓ９１７）。
【０１３８】
また、グループ追加承認画面において、操作入力が受け付けられていない場合には（ステップＳ９１３）、制御部３３０が、グループ追加承認画面が表示されてから一定時間が経過したか否かを判断する（ステップＳ９１６）。グループ追加承認画面が表示されてから一定時間を経過していない場合には（ステップＳ９１６）、ステップＳ９１３に戻り、グループ追加承認画面が表示されてから一定時間が経過した場合には（ステップＳ９１６）、ステップＳ９１７に進む。すなわち、一定時間内に承認が得られない場合には、制御部３３０が、追加承認しない旨のグループ追加承認結果をＳＨＯ１５０を介してＲＯ２００に送信する（ステップＳ９１７）。なお、有効なＭＣＩＭを保持していない無線通信装置の場合には、グループ追加承認結果がＲＯ２００に直接送信される。
【０１３９】
［情報処理装置（ＲＯ）の動作例］
図１５および図１６は、本技術の第１の実施の形態における情報処理装置（ＲＯ）２００による通信処理の処理手順の一例を示すフローチャートである。
【０１４０】
最初に、制御部２１０が、グループ追加要求を受信したか否かを判断し（ステップＳ９２１）、グループ追加要求を受信していない場合には、監視を継続して行う。
【０１４１】
グループ追加要求を受信した場合には（ステップＳ９２１）、制御部２１０が、グループ管理データベース２２０の内容に基づいて、受信したグループ追加要求について認証処理を行う（ステップＳ９２２乃至Ｓ９２５）。具体的には、受信したグループ追加要求に含まれるグループのＩＤおよびパスワードが、グループ管理データベース２２０に記憶されているグループのＩＤおよびパスワードと一致するか否かが判断される（ステップＳ９２２）。すなわち、受信したグループ追加要求に含まれるグループのＩＤおよびパスワードに一致するグループが存在するか否かが判断される（ステップＳ９２２）。それらに一致するグループが存在しない場合には（ステップＳ９２２）、制御部２１０は、そのグループ追加要求に係るグループに追加できない旨を、グループ追加要求を送信した無線通信装置に送信する（ステップＳ９２９）。この場合には、グループ追加要求に係るグループに追加できない旨が、グループ追加要求を送信した無線通信装置に表示される。
【０１４２】
受信したグループ追加要求に含まれるグループのＩＤおよびパスワードに一致するグループが存在する場合には（ステップＳ９２２）、制御部２１０が、受信したグループ追加要求に承認デバイス情報が含まれるか否かを判断する（ステップＳ９２３）。受信したグループ追加要求に承認デバイス情報が含まれない場合には（ステップＳ９２３）、制御部２１０が、受信したグループ追加要求に係るグループに属するデバイスのうちから１つのデバイス（承認デバイス）を選択する（ステップＳ９２４）。例えば、図６に示す承認するデバイス指定領域５０４において「デバイスを自動で指定」が選択された場合には、グループ追加要求に承認デバイス情報が含まれない。
【０１４３】
また、グループ追加要求に承認デバイス情報が含まれる場合には（ステップＳ９２３）、制御部２１０が、受信したグループ追加要求に係るグループに、その承認デバイス情報に係るデバイス（承認デバイス）が存在するか否かを判断する（ステップＳ９２５）。受信したグループ追加要求に係るグループに承認デバイスが存在しない場合には（ステップＳ９２５）、ステップＳ９２９に進む。
【０１４４】
また、受信したグループ追加要求に係るグループに承認デバイスが存在する場合には（ステップＳ９２５）、制御部２１０は、その承認デバイスは、有効なＭＣＩＭを保持するデバイスであるか否かを判断する（ステップＳ９２６）。例えば、グループ管理データベース２２０の有効無効情報２２６（図４に示す）に基づいて判断される。
【０１４５】
その承認デバイスが有効なＭＣＩＭを保持するデバイスである場合には（ステップＳ９２６）、制御部２１０は、ＳＨＯ１５０を介してその承認デバイスにグループ追加承認要求を送信する（ステップＳ９２７）。一方、その承認デバイスが有効なＭＣＩＭを保持しないデバイスである場合には（ステップＳ９２６）、制御部２１０は、ＳＨＯ１５０を介さずにその承認デバイスにグループ追加承認要求を直接送信する（ステップＳ９２８）。
【０１４６】
続いて、制御部２１０が、グループ追加承認結果を受信したか否かを判断し（ステップＳ９３０）、グループ追加承認結果を受信していない場合には、グループ追加承認要求を送信してから一定時間が経過したか否かを判断する（ステップＳ９３４）。グループ追加承認要求を送信してから一定時間を経過していない場合には（ステップＳ９３４）、ステップＳ９３０に戻り、グループ追加承認要求を送信してから一定時間が経過した場合には（ステップＳ９３４）、ステップＳ９２９に戻る。
【０１４７】
グループ追加承認結果を受信した場合には（ステップＳ９３０）、制御部２１０が、受信したグループ追加承認結果が、追加承認する旨のグループ追加承認結果であるか否かを判断する（ステップＳ９３１）。受信したグループ追加承認結果が、追加承認する旨のグループ追加承認結果でない場合（すなわち、追加承認しない旨のグループ追加承認結果である場合）には（ステップＳ９３１）、ステップＳ９２９に戻る。
【０１４８】
また、受信したグループ追加承認結果が、追加承認する旨のグループ追加承認結果である場合には（ステップＳ９３１）、制御部２１０が、グループ管理データベース２２０の内容を更新する（ステップＳ９３２）。続いて、制御部２１０が、追加承認する旨のグループ追加承認結果を、グループ追加要求を送信した無線通信装置に送信する（ステップＳ９３３）。
【０１４９】
［グループからの削除例］
以上では、ＭＣＩＭを共有するグループに新たなデバイスを追加登録する場合を例にして説明した。以下では、ＭＣＩＭを共有するグループからデバイスを削除する場合を例にして説明する。ここで、ＭＣＩＭを共有するグループからデバイスを削除する場合として、主に次の（Ａ）乃至（Ｄ）が想定される。
（Ａ）削除操作を行うデバイスのＭＣＩＭが有効であり、かつ、そのデバイスをグループから削除する場合。
（Ｂ）削除操作を行うデバイスのＭＣＩＭが有効であり、かつ、そのデバイス以外のデバイスをグループから削除する場合（図２２に示す）。
（Ｃ）削除操作を行うデバイスのＭＣＩＭが無効であり、かつ、そのデバイスをグループから削除する場合（図２３に示す）。
（Ｄ）削除操作を行うデバイスのＭＣＩＭが無効であり、かつ、そのデバイス以外のデバイスをグループから削除する場合。
【０１５０】
また、（Ａ）については、デバイスをグループから削除した後のＭＣＩＭの取り扱いについて、次の２つに分類することができる。
（Ａ−１）グループに残る他のデバイスにＭＣＩＭ（または、その使用権）を移転させる場合（図１９および図２０に示す）。
（Ａ−２）ＭＣＩＭを保持した状態でグループから抜ける場合（図２１に示す）。
【０１５１】
また、（Ｄ）については、削除対象となるデバイスが有効なＭＣＩＭを保持するか否かに応じて、次の２つに分類することができる。
（Ｄ−１）削除対象となるデバイスのＭＣＩＭが無効である場合（図２４に示す）。
（Ｄ−２）削除対象となるデバイスのＭＣＩＭが有効である場合（図２５および図２６に示す）。
【０１５２】
［各装置間における通信例（Ａ−１）］
図１７および図１８は、本技術の第１の実施の形態における各無線通信装置に表示される表示画面例を示す図である。これらの表示画面については、図１９および図２０に示すシーケンスチャートを参照して詳細に説明する。
【０１５３】
図１９および図２０は、本技術の第１の実施の形態における通信システム１００を構成する各装置間における通信処理例を示すシーケンスチャートである。
【０１５４】
図１９および図２０では、第１の無線通信装置３００を操作することにより、第１の無線通信装置３００を「グループＡＢ」から削除する場合における通信処理を例にして説明する。すなわち、図１９および図２０では、上述した（Ａ−１）に対応するシーケンスチャートを示す。なお、図１９乃至図２６では、第１の無線通信装置３００、第２の無線通信装置４００および第３の無線通信装置４１０により「グループＡＢ」が構成されている場合において、第１の無線通信装置３００が有効なＭＣＩＭを保持している場合を想定して説明する。また、図１９乃至図２６では、図１１と同様に、第１の無線通信装置３００がＳＨＯ１５０と接続状態（６０１）とされ、第２の無線通信装置４００および第３の無線通信装置４１０がＲＯ２００と接続状態（６０２、６０３）とされているものとする。
【０１５５】
最初に、所望の無線通信装置を「グループＡＢ」から削除するための表示画面が第１の無線通信装置３００の表示部３７０に表示される。
【０１５６】
図１７には、削除操作を行うための表示画面の一例（表示画面５５０、５５５）を示す。図１７（ａ）には、削除対象となるデバイスを選択するための表示画面５５０を示す。具体的には、表示画面５５０には、削除対象のデバイス選択領域５５１と、確定ボタン５０６と、戻るボタン５０７とが設けられている。
【０１５７】
削除対象のデバイス選択領域５５１は、「グループＡＢ」に属するデバイスのうちから、削除対象となるデバイスを選択するための領域である。例えば、プルダウンボタン（▼）が押下されると、「グループＡＢ」に属するデバイスに関するデバイス情報（例えば、デバイスネーム、端末識別情報）が一覧表示される。そして、一覧表示されているデバイスのうちから削除対象となるデバイスをユーザが選択する。
【０１５８】
ここで、削除対象のデバイス選択領域５５１に一覧表示されるデバイスに関する情報（デバイス情報）は、ＲＯ２００のグループ管理データベース２２０に格納されている。このため、グループ管理データベース２２０に格納されているデバイス情報が、ＲＯ２００の制御部２１０から定期的または不定期に各無線通信装置に送信され、各無線通信装置のメモリ３４０に保持しておくことができる。また、削除操作を行うための表示画面を表示させるための指示操作が行われる毎にそのデバイス情報をＲＯ２００に順次要求して取得するようにしてもよい。
【０１５９】
図１７（ｂ）には、図１７（ａ）に示す表示画面５５０において有効なＭＣＩＭを保持するデバイスが選択された後に表示される表示画面５５５を示す。具体的には、表示画面５５５には、ＭＣＩＭの取り扱い選択領域５５６と、確定ボタン５０６と、戻るボタン５０７とが設けられている。
【０１６０】
ＭＣＩＭの取り扱い選択領域５５６は、表示画面５５０において有効なＭＣＩＭを保持するデバイスが選択された場合に、その有効なＭＣＩＭの取り扱いを選択するための領域である。例えば、プルダウンボタン（▼）が押下されると、その有効なＭＣＩＭの取り扱いに関する情報が一覧表示される。
【０１６１】
ここで、図１７（ａ）に示す表示画面５５０の削除対象のデバイス選択領域５５１において、第１の無線通信装置３００の選択操作後に確定ボタン５０６が押下されると、図１７（ｂ）に示す表示画面５５５が表示される。続いて、表示画面５５５のＭＣＩＭの取り扱い選択領域５５６において「グループに残る他のデバイスにＭＣＩＭを渡す」の選択操作後に確定ボタン５０６が押下されたものとする（６５１）。
【０１６２】
このようにグループＡＢからの削除操作が受け付けられた場合には（６５１）、その削除操作に対応するグループ削除要求が第１の無線通信装置３００からＳＨＯ１５０に送信される（６５２、６５３）。上述したように、第１の無線通信装置３００は、ＳＨＯ１５０と接続状態（６０１）とされているため、グループ削除要求は、第１の無線通信装置３００からＳＨＯ１５０に直接送信される。
【０１６３】
ここで、グループ削除要求には、グループ削除要求を行ったデバイスに関する情報（削除要求デバイス情報）と、削除対象となるデバイスに関する情報（削除対象デバイス情報）とが含まれる。また、この例では、グループ削除要求に応じた削除後に有効なＭＣＩＭを保持するデバイスに関する情報（有効ＭＣＩＭ保持デバイス情報）が、グループ削除要求に含まれる。
【０１６４】
続いて、グループ削除要求を受信すると（６５３）、ＳＨＯ１５０は、そのグループ削除要求に含まれる有効ＭＣＩＭ保持デバイス情報に基づいて、第１の無線通信装置３００のＭＣＩＭの取り扱いを判断する。図１９および図２０に示す例では、表示画面５５５のＭＣＩＭの取り扱い選択領域５５６において「グループに残る他のデバイスにＭＣＩＭを渡す」が選択されている。このため、第１の無線通信装置３００におけるＭＣＩＭについて無効化処理が行われる（６５４乃至６６１）。すなわち、ＳＨＯ１５０は、第１の無線通信装置３００のＭＣＩＭを無効化するためのＭＣＩＭ無効化情報を第１の無線通信装置３００に送信する（６５４、６５５）。
【０１６５】
ＭＣＩＭ無効化情報を第１の無線通信装置３００が受信すると（６５５）、第１の無線通信装置３００のＭＣＩＭ情報記憶部３５０に記憶されているＭＣＩＭの無効化処理が行われる（６５６）。これにより、第１の無線通信装置３００に保持されているＭＣＩＭが無効化され、第１の無線通信装置３００ではＭＣＩＭに基づくＳＨＯ１５０への接続ができなくなる。
【０１６６】
ＭＣＩＭの無効化処理が終了した後に（６５６）、ＭＣＩＭの無効化処理が終了した旨を示すＭＣＩＭ無効化通知が、ＳＨＯ１５０を介して第１の無線通信装置３００からＲＯ２００に送信される（６５７乃至６６０）。ＭＣＩＭ無効化通知をＲＯ２００が受信すると（６６０）、制御部２１０は、グループ管理データベース２２０の内容を書き換える（６６１）。すなわち、第１の無線通信装置３００を無効とするように、グループ管理データベース２２０の内容（図４に示す有効無効情報２２６）が書き換えられる（６６１）。
【０１６７】
続いて、グループＡＢに属する無線通信装置のうち、第１の無線通信装置３００以外の無線通信装置のＭＣＩＭを有効とするためのＭＣＩＭ有効化要求が、ＳＨＯ１５０からＲＯ２００に送信される（６６２、６６３）。ＭＣＩＭ有効化要求を受信すると（６６３）、制御部２１０は、グループ管理データベース２２０の内容に基づいて、有効なＭＣＩＭを保持するデバイスとして、第１の無線通信装置３００以外の無線通信装置を特定する。すなわち、図１９および図２０に示す例では、表示画面５５５のＭＣＩＭの取り扱い選択領域５５６において「グループに残る他のデバイスにＭＣＩＭを渡す」が選択されている。このため、削除後に有効なＭＣＩＭを保持するデバイスとして、第１の無線通信装置３００以外の無線通信装置が特定される。例えば、表示画面５５５のＭＣＩＭの取り扱い選択領域５５６における「グループに残る他のデバイスにＭＣＩＭを渡す」の選択操作後に、ユーザ操作によりデバイスを選択し、この選択されたデバイスに関する情報をグループ削除要求に含めるようにしてもよい。また、ユーザ操作によりデバイスが選択されていない場合には、グループＡＢに属する何れか１つの無線通信装置を、制御部２１０が自動で選択することができる（例えば、登録順）。この例では、有効なＭＣＩＭを保持するデバイスとして、第２の無線通信装置４００が選択された場合を例にして説明する。
【０１６８】
すなわち、第２の無線通信装置４００のＭＣＩＭを有効とするためのＭＣＩＭ有効化要求が、ＲＯ２００から第２の無線通信装置４００に送信される（６６４、６６５）。ＭＣＩＭ有効化要求を受信すると（６６５）、ＭＣＩＭを有効とすることを承認するＭＣＩＭ有効化承認が、ＲＯ２００を介して第２の無線通信装置４００からＳＨＯ１５０に送信される（６６６乃至６６９）。
【０１６９】
ＭＣＩＭ有効化承認を受信すると（６６９）、第２の無線通信装置４００におけるＭＣＩＭについて有効化処理が行われる（６７０乃至６７９）。すなわち、ＳＨＯ１５０は、第２の無線通信装置４００のＭＣＩＭを有効化するためのＭＣＩＭ有効化情報を、ＲＯ２００を介して第２の無線通信装置４００に送信する（６７０乃至６７３）。
【０１７０】
ＭＣＩＭ有効化情報を第２の無線通信装置４００が受信すると（６７３）、第２の無線通信装置４００のＭＣＩＭ情報記憶部３５０におけるＭＣＩＭの有効化処理が行われる（６７４）。これにより、第２の無線通信装置４００におけるＭＣＩＭが有効化されるため、第２の無線通信装置４００は、ＭＣＩＭに基づいてＳＨＯ１５０に接続することができるようになる。
【０１７１】
ＭＣＩＭの有効化処理が終了した後に（６７４）、ＭＣＩＭの有効化処理が終了した旨を示すＭＣＩＭ有効化通知が、第２の無線通信装置４００からＲＯ２００に送信される（６７５、６７６）。ＭＣＩＭ有効化通知をＲＯ２００が受信すると（６７６）、制御部２１０は、グループ管理データベース２２０の内容を書き換える（６７７）。すなわち、第２の無線通信装置４００を有効とするように、グループ管理データベース２２０の内容（図４に示す有効無効情報２２６）が書き換えられる（６７７）。
【０１７２】
また、グループ管理データベース２２０の書き換え後に、ＭＣＩＭ有効化通知が、ＲＯ２００からＳＨＯ１５０に送信される（６７８、６７９）。また、グループ削除要求に応じた削除処理が終了した旨を示すグループ削除完了通知が、ＲＯ２００から第１の無線通信装置３００に送信される（６８０、６８１）。なお、第１の無線通信装置３００におけるＭＣＩＭは無効とされているため、グループ削除完了通知が、ＲＯ２００から第１の無線通信装置３００に直接送信される（６８０、６８１）。
【０１７３】
グループ削除完了通知を受信すると（６８１）、第１の無線通信装置３００の制御部３３０は、グループ削除完了通知を表示部３７０に表示させる（６８２）。この表示例を図１８に示す。
【０１７４】
図１８には、グループ削除完了通知を表示する表示画面の一例（表示画面５６０）を示す。具体的には、表示画面５６０には、グループ削除完了を通知するためのメッセージが表示され、確認ボタン５６１が設けられている。ユーザが表示画面５６０におけるメッセージを確認した後に、確認ボタン５６１を押下すると、他の画面が表示される。これにより、第１の無線通信装置３００における一連のグループ削除処理が終了する。
【０１７５】
ここで、有効なＭＣＩＭをネットワーク側から無効にする手続（MCIM De−activate（６５４乃至６５８））については、３ＧＰＰに規定されている手続を適用することができる。具体的には、非特許文献（3GPP TR 23.060）で規定される手続（HLR−initiated detach procedure）を適用することができる。
【０１７６】
また、ネットワーク側から、ＭＣＩＭをデバイスにダウンロードして有効にする手続（MCIM Provisioning and download（６６２乃至６７９））については、３ＧＰＰに規定されている手続を適用することができる。具体的には、非特許文献１で規定される手続（Remote Provisioning）を適用することができる。
【０１７７】
［各装置間における通信例（Ａ−２）］
図２１は、本技術の第１の実施の形態における通信システム１００を構成する各装置間における通信処理例を示すシーケンスチャートである。
【０１７８】
図２１では、第１の無線通信装置３００を操作することにより、第２の無線通信装置４００および第３の無線通信装置４１０を「グループＡＢ」から削除する場合における通信処理を例にして説明する。すなわち、図２１では、上述した（Ａ−２）に対応するシーケンスチャートを示す。
【０１７９】
最初に、所望の無線通信装置を「グループＡＢ」から削除するための表示画面が第１の無線通信装置３００の表示部３７０に表示される。
【０１８０】
ここで、図１７（ａ）に示す表示画面５５０の削除対象のデバイス選択領域５５１において、第１の無線通信装置３００の選択操作後に確定ボタン５０６が押下されると、図１７（ｂ）に示す表示画面５５５が表示される。続いて、表示画面５５５のＭＣＩＭの取り扱い選択領域５５６において「ＭＣＩＭを持ってグループから抜ける」の選択操作後に確定ボタン５０６が押下されたものとする（６８５）。
【０１８１】
このようにグループＡＢからの削除操作が受け付けられた場合には（６８５）、その削除操作に対応するグループ削除要求が第１の無線通信装置３００からＳＨＯ１５０に送信される（６８６、６８７）。
【０１８２】
続いて、グループ削除要求を受信すると（６８７）、ＳＨＯ１５０は、そのグループ削除要求に含まれる有効ＭＣＩＭ保持デバイス情報に基づいて、第１の無線通信装置３００のＭＣＩＭの取り扱いを判断する。図２１に示す例では、表示画面５５５のＭＣＩＭの取り扱い選択領域５５６において「ＭＣＩＭを持ってグループから抜ける」が選択されている。このため、第１の無線通信装置３００におけるＭＣＩＭは有効の状態が維持される。また、グループＡＢに属する他の無線通信装置（第２の無線通信装置４００、第３の無線通信装置４１０）については、グループＡＢから削除される。このため、ＳＨＯ１５０は、そのグループ削除要求をＲＯ２００に送信する（６８８、６８９）。
【０１８３】
そのグループ削除要求をＲＯ２００が受信すると（６８９）、制御部２１０は、グループ管理データベース２２０の内容を書き換える（６９０）。すなわち、グループＡＢに属する他の無線通信装置（第２の無線通信装置４００、第３の無線通信装置４１０）を削除するように、グループ管理データベース２２０の内容が書き換えられる（６９０）。
【０１８４】
グループ管理データベース２２０の書き換え後に（６９０）、グループ削除通知が、ＲＯ２００からグループＡＢに属する他の無線通信装置（第２の無線通信装置４００、第３の無線通信装置４１０）に送信される（６９１乃至６９４）。
【０１８５】
グループ削除通知を受信すると（６９２、６９４）、各無線通信装置（第２の無線通信装置４００、第３の無線通信装置４１０）の制御部３３０は、グループ削除通知を表示部３７０に表示させる（６９５、６９６）。この表示例を図１８に示す。
【０１８６】
［各装置間における通信例（Ｂ）］
図２２は、本技術の第１の実施の形態における通信システム１００を構成する各装置間における通信処理例を示すシーケンスチャートである。
【０１８７】
図２２では、第１の無線通信装置３００を操作することにより、第３の無線通信装置４１０を「グループＡＢ」から削除する場合における通信処理を例にして説明する。すなわち、図２２では、上述した（Ｂ）に対応するシーケンスチャートを示す。
【０１８８】
最初に、所望の無線通信装置を「グループＡＢ」から削除するための表示画面が第１の無線通信装置３００の表示部３７０に表示される。
【０１８９】
ここで、図１７（ａ）に示す表示画面５５０の削除対象のデバイス選択領域５５１において、第３の無線通信装置４１０の選択操作後に確定ボタン５０６が押下されたものとする（７０１）。ここで、有効なＭＣＩＭを保持していない無線通信装置が選択された場合には、図１７（ｂ）に示す表示画面５５５が表示されない。
【０１９０】
このようにグループＡＢからの削除操作が受け付けられた場合には（７０１）、その削除操作に対応するグループ削除要求が第１の無線通信装置３００からＳＨＯ１５０に送信される（７０２、７０３）。
【０１９１】
続いて、グループ削除要求を受信すると（７０３）、ＳＨＯ１５０は、そのグループ削除要求に含まれる削除対象デバイス情報に基づいて、削除対象となるデバイス（第３の無線通信装置４１０）を特定する。このため、ＳＨＯ１５０は、そのグループ削除要求をＲＯ２００に送信する（７０４、７０５）。
【０１９２】
そのグループ削除要求をＲＯ２００が受信すると（７０５）、制御部２１０は、グループ管理データベース２２０の内容を書き換える（７０６）。すなわち、第３の無線通信装置４１０を削除するように、グループ管理データベース２２０の内容が書き換えられる（７０６）。
【０１９３】
グループ管理データベース２２０の書き換え後に（７０６）、グループ削除通知が、ＲＯ２００から第３の無線通信装置４１０に送信される（７０７、７０８）。
【０１９４】
グループ削除通知を受信すると（７０８）、第３の無線通信装置４１０の制御部３３０は、グループ削除通知を表示部３７０に表示させる（７０９）。この表示例を図１８に示す。
【０１９５】
［各装置間における通信例（Ｃ）］
図２３は、本技術の第１の実施の形態における通信システム１００を構成する各装置間における通信処理例を示すシーケンスチャートである。
【０１９６】
図２３では、第３の無線通信装置４１０を操作することにより、第３の無線通信装置４１０を「グループＡＢ」から削除する場合における通信処理を例にして説明する。すなわち、図２３では、上述した（Ｃ）に対応するシーケンスチャートを示す。
【０１９７】
最初に、所望の無線通信装置を「グループＡＢ」から削除するための表示画面が第３の無線通信装置４１０の表示部３７０に表示される。
【０１９８】
ここで、図１７（ａ）に示す表示画面５５０の削除対象のデバイス選択領域５５１において、第３の無線通信装置４１０の選択操作後に確定ボタン５０６が押下されたものとする（７１１）。ここで、有効なＭＣＩＭを保持していない無線通信装置が選択された場合には、図１７（ｂ）に示す表示画面５５５が表示されない。
【０１９９】
このようにグループＡＢからの削除操作が受け付けられた場合には（７１１）、その削除操作に対応するグループ削除要求が第３の無線通信装置４１０からＲＯ２００に送信される（７１２、７１３）。上述したように、第３の無線通信装置４１０は、ＲＯ２００と接続状態（６０３）とされているため、グループ削除要求は、第３の無線通信装置４１０からＲＯ２００に直接送信される。
【０２００】
続いて、グループ削除要求をＲＯ２００が受信すると（７１３）、制御部２１０は、グループ管理データベース２２０の内容を書き換える（７１４）。すなわち、第３の無線通信装置４１０を削除するように、グループ管理データベース２２０の内容が書き換えられる（７１４）。
【０２０１】
グループ管理データベース２２０の書き換え後に（７１４）、グループ削除通知が、ＲＯ２００から第３の無線通信装置４１０に送信される（７１５、７１６）。
【０２０２】
グループ削除通知を受信すると（７１６）、第３の無線通信装置４１０の制御部３３０は、グループ削除通知を表示部３７０に表示させる（７１７）。この表示例を図１８に示す。
【０２０３】
［各装置間における通信例（Ｄ−１）］
図２４は、本技術の第１の実施の形態における通信システム１００を構成する各装置間における通信処理例を示すシーケンスチャートである。
【０２０４】
図２４では、第３の無線通信装置４１０を操作することにより、第２の無線通信装置４００を「グループＡＢ」から削除する場合における通信処理を例にして説明する。すなわち、図２４では、上述した（Ｄ−１）に対応するシーケンスチャートを示す。
【０２０５】
最初に、所望の無線通信装置を「グループＡＢ」から削除するための表示画面が第３の無線通信装置４１０の表示部３７０に表示される。
【０２０６】
ここで、図１７（ａ）に示す表示画面５５０の削除対象のデバイス選択領域５５１において、第２の無線通信装置４００の選択操作後に確定ボタン５０６が押下されたものとする（７２１）。ここで、有効なＭＣＩＭを保持していない無線通信装置が選択された場合には、図１７（ｂ）に示す表示画面５５５が表示されない。
【０２０７】
このようにグループＡＢからの削除操作が受け付けられた場合には（７２１）、その削除操作に対応するグループ削除要求が第３の無線通信装置４１０からＲＯ２００に送信される（７２２、７２３）。上述したように、第３の無線通信装置４１０は、ＲＯ２００と接続状態（６０３）とされているため、グループ削除要求は、第３の無線通信装置４１０からＲＯ２００に直接送信される。
【０２０８】
続いて、グループ削除要求をＲＯ２００が受信すると（７２３）、制御部２１０は、グループ管理データベース２２０の内容を書き換える（７２４）。すなわち、第２の無線通信装置４００を削除するように、グループ管理データベース２２０の内容が書き換えられる（７２４）。
【０２０９】
グループ管理データベース２２０の書き換え後に（７２４）、グループ削除通知が、ＲＯ２００から第２の無線通信装置４００に送信される（７２５、７２６）。
【０２１０】
グループ削除通知を受信すると（７２６）、第２の無線通信装置４００の制御部３３０は、グループ削除通知を表示部３７０に表示させる（７２７）。この表示例を図１８に示す。
【０２１１】
［各装置間における通信例（Ｄ−２）］
図２５および図２６は、本技術の第１の実施の形態における通信システム１００を構成する各装置間における通信処理例を示すシーケンスチャートである。
【０２１２】
図２５および図２６では、第３の無線通信装置４１０を操作することにより、第１の無線通信装置３００を「グループＡＢ」から削除する場合における通信処理を例にして説明する。すなわち、図２５および図２６では、上述した（Ｄ−２）に対応するシーケンスチャートを示す。
【０２１３】
最初に、所望の無線通信装置を「グループＡＢ」から削除するための表示画面が第３の無線通信装置４１０の表示部３７０に表示される。
【０２１４】
図１７（ａ）に示す表示画面５５０の削除対象のデバイス選択領域５５１において、第１の無線通信装置３００の選択操作後に確定ボタン５０６が押下されると、図１７（ｂ）に示す表示画面５５５が表示される。続いて、表示画面５５５のＭＣＩＭの取り扱い選択領域５５６において「グループに残る他のデバイスにＭＣＩＭを渡す」の選択操作後に確定ボタン５０６が押下されたものとする（７３１）。
【０２１５】
このようにグループＡＢからの削除操作が受け付けられた場合には（７３１）、その削除操作に対応するグループ削除要求が、ＲＯ２００を介して第３の無線通信装置４１０からＳＨＯ１５０に送信される（７３２乃至７３５）。上述したように、第３の無線通信装置４１０は、ＲＯ２００と接続状態（６０３）とされているため、グループ削除要求は、ＲＯ２００を介してＳＨＯ１５０に送信される。
【０２１６】
続いて、グループ削除要求を受信すると（７３５）、ＳＨＯ１５０は、そのグループ削除要求に含まれる有効ＭＣＩＭ保持デバイス情報に基づいて、第１の無線通信装置３００のＭＣＩＭの取り扱いを判断する。図２５および図２６に示す例では、図１９および図２０と同様に、表示画面５５５のＭＣＩＭの取り扱い選択領域５５６において「グループに残る他のデバイスにＭＣＩＭを渡す」が選択されている。このため、第１の無線通信装置３００におけるＭＣＩＭについて無効化処理が行われる（７３６乃至７４３）。この無効化処理については、図１９および図２０に示す無効化処理（６５４乃至６６１）と略同様であるため、ここでの説明を省略する。
【０２１７】
続いて、第３の無線通信装置４１０のＭＣＩＭを有効とするためのＭＣＩＭ有効化処理が行われる（７４４乃至７６１）。この有効化処理については、有効化処理の対象が異なる点以外は、図１９および図２０に示す有効化処理（６６２乃至６７９）と略同様であるため、ここでの説明を省略する。
【０２１８】
続いて、グループ削除要求に応じた削除処理が終了した旨を示すグループ削除完了通知が、ＲＯ２００から第１の無線通信装置３００に送信される（７６２、７６３）。なお、第１の無線通信装置３００におけるＭＣＩＭは無効とされているため、グループ削除完了通知が、ＲＯ２００から第１の無線通信装置３００に直接送信される（７６２、７６３）。
【０２１９】
グループ削除完了通知を受信すると（７６３）、第１の無線通信装置３００の制御部３３０は、グループ削除完了通知を表示部３７０に表示させる（７６４）。この表示例を図１８に示す。
【０２２０】
このように、本技術の実施の形態によれば、例えば、公衆回線網１１０における契約認証情報（ＭＣＩＭ）を、グループ内の複数のデバイスで容易に共有することができる。この場合において、そのグループに新たなデバイスを追加登録する場合には、安全性を維持しつつ、確実に追加することができる。すなわち、グループのＩＤおよびパスワードを用いた認証とともに、グループに属する他のデバイスの確認（追加承認）を行うことにより、さらに安全性を高め、確実に追加することができる。これにより、例えば、グループのＩＤやパスワードの紛失があり、ＩＤやパスワードが漏えいしたような場合でも、第三者によるグループへの意図しない追加を防止することができる。すなわち、本技術の実施の形態によれば、複数の無線通信装置間においてネットワークに接続するための権利を容易に共有し、その共有に係る安全性を維持することができる。
【０２２１】
なお、本技術の実施の形態では、一体として構成される情報処理装置（ＲＯ）２００を例にして説明した。ただし、これらの情報処理装置が備える各部（例えば、制御部２１０、グループ管理データベース２２０）を複数の装置により構成する情報処理システムについても本技術の実施の形態を適用することができる。また、本技術の実施の形態では、２または３の無線通信装置により構成されるグループＡＢを例にして説明したが、４以上の無線通信装置により構成されるグループについても本技術の実施の形態を適用することができる。また、携帯型の無線通信装置（例えば、データ通信専用端末装置）や、固定型の無線通信装置（例えば、自動販売機のデータ収集を目的とする無線通信装置）に本技術の実施の形態を適用することができる。
【０２２２】
また、本技術の実施の形態では、ネットワーク接続権として、ＭＣＩＭの使用権を例にして説明した。ただし、他の情報（例えば、ＵＳＩＭ）に基づいて、所定のネットワークと接続するための他のネットワーク接続権についても、本技術の実施の形態を適用することができる。
【０２２３】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２２４】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０２２５】
なお、本技術は以下のような構成もとることができる。
（１）  無線回線を介して所定のネットワークに接続するためのネットワーク接続権を共有する複数の無線通信装置により構成されるグループに追加登録するための操作入力として前記グループを特定するためのグループ情報を受け付ける受付部と、
前記グループ情報が受け付けられた場合に、前記グループを構成する何れかの無線通信装置において承認操作が行われたことを条件に前記グループに追加登録することを要求する追加要求を前記グループを管理する管理システムに無線回線を介して送信する制御部と
を具備する無線通信装置。
（２）  前記管理システムは、前記追加要求を受信した場合には前記承認操作が行われたことを条件に前記追加要求を送信した無線通信装置を前記グループに追加登録する
前記（１）に記載の無線通信装置。
（３）  前記受付部は、前記承認操作を行う無線通信装置を特定するための無線通信装置情報を受け付け、
前記制御部は、前記無線通信装置情報を前記追加要求に含めて送信し、
前記管理システムは、前記追加要求を受信した場合には前記追加要求に含まれる前記無線通信装置情報に係る無線通信装置において前記承認操作が行われたことを条件に前記追加要求を送信した無線通信装置を前記グループに追加登録する
前記（１）または（２）に記載の無線通信装置。
（４）  前記受付部は、前記承認操作を行う際における承認方法を特定するための承認方法情報を受け付け、
前記制御部は、前記承認方法情報を前記追加要求に含めて送信し、
前記管理システムは、前記追加要求を受信した場合には前記追加要求に含まれる前記承認方法情報に係る承認方法により前記承認操作が行われたことを条件に前記追加要求を送信した無線通信装置を前記グループに追加登録する
前記（１）から（３）のいずれかに記載の無線通信装置。
（５）  前記受付部は、前記追加要求に対する承認を選択操作により行う承認方法と、前記追加要求に対する承認を識別情報の入力操作により行う承認方法と、前記追加要求に対する承認を操作部材の操作により行う承認方法との何れかを特定する前記承認方法情報を受け付ける
前記（４）に記載の装置。
（６）  前記管理システムは、前記承認操作が行われる無線通信装置が前記ネットワーク接続権を保持する場合には前記承認操作を行うことを要求する追加承認要求を前記ネットワーク接続権に基づく接続により当該無線通信装置に送信する
前記（１）から（５）のいずれかに記載の無線通信装置。
（７）  前記制御部は、前記追加要求に応じて前記グループに追加登録された旨の通知を前記管理システムから受信した場合に前記グループに追加登録された旨を表示部に表示させる
前記（１）から（６）のいずれかに記載の無線通信装置。
（８）  前記受付部は、前記グループを構成する何れかの無線通信装置を前記グループから削除するための操作入力を受け付け、
前記制御部は、前記削除するための操作入力が受け付けられた場合に当該削除対象となる無線通信装置を前記グループから削除するための削除要求を前記管理システムに送信し、
前記管理システムは、前記削除対象となる無線通信装置を前記グループから削除処理する
前記（１）から（７）のいずれかに記載の無線通信装置。
（９）  前記受付部は、前記グループに付与されている識別情報およびパスワードを前記グループ情報として受け付ける
前記（１）から（８）のいずれかに記載の無線通信装置。
（１０）  前記ネットワーク接続権は、通信事業者が運営する基地局に接続するための契約認証情報に基づいて前記基地局に接続する権利である
前記（１）から（９）のいずれかに記載の無線通信装置。
（１１）  前記管理システムは、ＲＯである前記（１）から（１０）のいずれかに記載の無線通信装置。
（１２）  前記グループを構成する複数の無線通信装置のうち前記ネットワーク接続権を保持する無線通信装置は、前記ネットワーク接続権に基づいてＳＨＯに接続可能であり、
前記グループを構成する複数の無線通信装置のうち前記ネットワーク接続権を保持する無線通信装置以外の無線通信装置は、ＲＯにのみ接続可能である
前記（１）から（１１）のいずれかに記載の無線通信装置。
（１３）  無線回線を介して所定のネットワークに接続するためのネットワーク接続権を共有する複数の無線通信装置により構成されるグループに追加登録するための操作入力として前記グループを特定するためのグループ情報を受け付けると、前記グループを構成する何れかの無線通信装置において承認操作が行われたことを条件に前記グループに追加登録することを要求する追加要求を前記グループを管理する情報処理装置に無線回線を介して送信する制御部を備える無線通信装置と、
前記グループを構成する複数の無線通信装置以外の他の無線通信装置から前記追加要求を受信した場合に前記グループを構成する何れかの無線通信装置に前記追加要求に対する承認操作を行わせるための追加承認要求を無線回線を介して送信し、前記追加承認要求を送信した無線通信装置から前記追加要求に対する承認操作が行われた旨の追加承認結果を受信したことを条件に前記追加要求を送信した無線通信装置を前記グループに追加登録する制御部を備える情報処理装置と
を具備する通信システム。
（１４）  無線回線を介して所定のネットワークに接続するためのネットワーク接続権を共有する複数の無線通信装置により構成されるグループに追加登録するための操作入力として前記グループを特定するためのグループ情報を受け付ける受付手順と、
前記グループを構成する何れかの無線通信装置において承認操作が行われたことを条件に前記グループに追加登録することを要求する追加要求を前記グループを管理する管理システムに無線回線を介して送信する送信手順と
を具備する無線通信装置の制御方法。
（１５）  無線回線を介して所定のネットワークに接続するためのネットワーク接続権を共有する複数の無線通信装置により構成されるグループに追加登録することを要求する追加要求を前記複数の無線通信装置以外の他の無線通信装置から受信した場合に前記グループを構成する何れかの無線通信装置に前記追加要求に対する承認操作を行わせるための追加承認要求を無線回線を介して送信する第１制御部と、
前記追加承認要求を送信した無線通信装置から前記追加要求に対する承認操作が行われた旨の追加承認結果を受信したことを条件に前記追加要求を送信した無線通信装置を前記グループに追加登録する第２制御部と
を具備する情報処理装置。
（１６）  前記グループ情報は、前記グループに付与されている識別情報およびパスワードを含み、
前記識別情報および前記パスワードと前記グループを構成する各無線通信装置とを前記グループ毎に関連付けて記憶する記憶部をさらに具備し、
前記第１制御部は、前記追加要求を受信した場合に前記追加要求に含まれる識別情報およびパスワードが一致するグループを前記記憶部から抽出して当該一致するグループが抽出された場合に前記追加承認要求を送信する
前記（１５）に記載の情報処理装置。
（１７）  前記追加要求は、前記承認操作を行わせる無線通信装置に関する無線通信装置情報を含み、
前記第１制御部は、前記追加要求を受信した場合に前記追加要求に含まれる無線通信装置情報に係る無線通信装置が前記抽出されたグループに属するか否かを判断して当該無線通信装置が前記抽出されたグループに属する場合に当該無線通信装置に前記追加承認要求を送信する
前記（１６）に記載の情報処理装置。
（１８）  前記第１制御部は、前記追加要求に前記無線通信装置情報が含まれない場合には前記抽出されたグループを構成する何れかの無線通信装置に前記追加承認要求を送信する
前記（１７）に記載の情報処理装置。
【符号の説明】
【０２２６】
１００  通信システム
１１０  公衆回線網
１２０  ネットワーク制御装置
１２１、１２２  基地局
１２３〜１２６  無線回線
２００  情報処理装置（ＲＯ）
２１０  制御部
２２０  グループ管理データベース
３００  第１の無線通信装置
３１１  アンテナ
３１２  アンテナ共用部
３２１  変調部
３２２  復調部
３３０  制御部
３３１  バス
３４０  メモリ
３５０  ＭＣＩＭ情報記憶部
３６０  操作部
３７０  表示部
３８０  位置情報取得部
３９１  マイクロフォン
３９２  スピーカ
４００  第２の無線通信装置
４１０  第３の無線通信装置
５２５  スピーカ
５２６  発光部
５２７  操作部
【図１】
0005659875.tif 000002
【図２】
0005659875.tif 000003
【図３】
0005659875.tif 000004
【図４】
0005659875.tif 000005
【図５】
0005659875.tif 000006
【図６】
0005659875.tif 000007
【図７】
0005659875.tif 000008
【図８】
0005659875.tif 000009
【図９】
0005659875.tif 000010
【図１０】
0005659875.tif 000011
【図１１】
0005659875.tif 000012
【図１２】
0005659875.tif 000013
【図１３】
0005659875.tif 000014
【図１４】
0005659875.tif 000015
【図１５】
0005659875.tif 000016
【図１６】
0005659875.tif 000017
【図１７】
0005659875.tif 000018
【図１８】
0005659875.tif 000019
【図１９】
0005659875.tif 000020
【図２０】
0005659875.tif 000021
【図２１】
0005659875.tif 000022
【図２２】
0005659875.tif 000023
【図２３】
0005659875.tif 000024
【図２４】
0005659875.tif 000025
【図２５】
0005659875.tif 000026
【図２６】
0005659875.tif 000027